【事件の表示】
　特許第３３４４９７１号「遊技機」の請求項１に係る特許に対する特許異議の申立てについて、次のとおり決定する。
【結　論】
　訂正を認める。
　特許第３３４４９７１号の請求項１に係る特許を維持する。
【理　由】
１・手続の経緯
　特許第３３４４９７１号の請求項１に係る発明（本件発明）についての特許出願は、平成３年４月３０日に出願された特許出願（特願平３−９９３４４号、以下「原出願」という）の一部が特許法第４４条第１項の規定により、平成１１年８月９日に新たな特許出願とされたものであって、平成１４年８月３０日にその特許権の設定登録がなされ、その後、榊原吉保より特許異議の申立てがなされ、取消しの理由が通知され、その指定期間内である平成１６年５月６日に訂正請求（後日取下げ）がなされ、再度の取消しの理由が通知され、その指定期間内である平成１６年１０月２７日に訂正請求がなされたものである。
２・訂正の適否についての判断
（２−１）訂正の内容
ア・訂正事項ａ
　願書に添付した明細書（以下、特許明細書という。平成１４年７月１０日付け手続補正によって補正されたもの）の特許請求の範囲の請求項１中の「遊技用有価価値としての景品玉を払出す制御を行なう」を「遊技用有価価値としての景品玉を払出す制御を行なうとともに、所定の記録媒体の記録情報を読み取って、該記録情報により特定される有価価値の使用と引換えにした貸玉の払出しを要求する玉貸要求信号を出力する記録媒体処理装置からの該玉貸要求信号が送信されてきたことを条件として、貸玉を払出す制御を行なう」と訂正する。
イ・訂正事項ｂ
　特許明細書の特許請求の範囲の請求項１中の「価値付与手段と、」を「価値付与手段と、該価値付与手段を搭載する払出制御基板と、」と訂正する。
ウ・訂正事項ｃ
　特許明細書の特許請求の範囲の請求項１中の「該価値付与手段による付与価値が所定量に達する」を「該価値付与手段による付与価値として払出された景品玉が所定量に達したか否かを判別する価値付与判別手段と、該価値付与判別手段により付与価値として払出された景品玉が所定量に達したと判別される」と訂正する。
エ・訂正事項ｄ
　特許明細書の特許請求の範囲の請求項１中の「所定の記録媒体の記録情報によって特定される有価価値を使用して遊技機による遊技を行なう」を「前記所定の記録媒体の記録情報によって特定される有価価値を使用して玉貸を行なう」と訂正する。
オ・訂正事項ｅ
　特許明細書の特許請求の範囲の請求項１中の「前記記録媒体の記録情報によって特定される有価価値からの遊技に使用するための価値の引落が可能である旨を表示する引落可能表示手段と、前記価値の引落を行なうための引落操作手段と、前記記録媒体を遊技者に返却するための返却操作手段と」を「前記記録媒体処理装置からの表示用制御信号により前記記録媒体の記録情報によって特定される有価価値を使用して玉貸が可能である旨を表示する引落可能表示手段と、玉貸の実行を要求するための玉貸操作手段と、前記記録媒体を遊技者に返却するための返却操作手段と、前記記録媒体処理装置からの表示用制御信号により前記記録媒体の記録情報により特定される有価価値の残高を表示する残高表示器と」と訂正する。
カ・訂正事項ｆ
　特許明細書の特許請求の範囲の請求項１中の「前記引落可能表示手段は、」を「前記残高表示器と前記払出制御基板とは、ともに前記記録媒体処理装置に接続される共通の中継端子基板に接続され、前記中継端子基板には、前記記録媒体処理装置に接続されるための単一のコネクタ接続部が設けられ、前記価値付与手段は、前記玉貸操作手段の操作による前記記録媒体処理装置からの前記玉貸要求信号を受信したことを条件として、所定の１単位の貸玉を払出し、前記遊技機は、前記１単位の貸玉の払出しが完了したか否かを判別する貸玉完了判別手段と、前記１単位の貸玉の払出しが完了したと前記貸玉完了判別手段によって判別される毎に単位額売上信号を管理コンピュータへ向けて出力する単位額売上信号出力手段とをさらに含み、前記引落可能表示手段は、」と訂正する
キ・訂正事項ｇ
　特許明細書の特許請求の範囲の請求項１中の「前記価値の引落が可能である旨を表示している状態で前記引落操作手段または前記返却操作手段が操作された場合に、前記価値の引落が可能である旨の表示とは異なる状態に変化する」を「前記有価価値を使用して玉貸が可能である旨を表示している状態で前記玉貸操作手段または前記返却操作手段が操作された場合に、前記有価価値を使用して玉貸が可能である旨の表示とは異なる状態に変化する」と訂正する。
ク・訂正事項ｈ
　特許明細書の段落【０００５】中の記載を「請求項１に記載の本発明は、遊技機本体と、該遊技機本体に対し交換可能に取付けられる取付部材とを含む遊技機であって、
　遊技領域に設けられた入賞口と、
　該入賞口へ入賞した入賞玉を検出する入賞玉検出手段と、
　該入賞玉検出手段によって入賞玉が検出された場合に、遊技用有価価値としての景品玉を払出す制御を行なうとともに、所定の記録媒体の記録情報を読み取って、該記録情報により特定される有価価値の使用と引換えにした貸玉の払出しを要求する玉貸要求信号を出力する記録媒体処理装置からの該玉貸要求信号が送信されてきたことを条件として、貸玉を払出す制御を行なう価値付与手段と、
　該価値付与手段を搭載する払出制御基板と、
　該価値付与手段による付与価値として払出された景品玉が所定量に達したか否かを判別する価値付与判別手段と、
　該価値付与判別手段により付与価値として払出された景品玉が所定量に達したと判別される毎にその旨の価値付与情報を前記遊技機から出力する情報出力手段とを含み、
　前記取付部材には、前記所定の記録媒体の記録情報によって特定される有価価値を使用して玉貸を行なうための記録媒体対応用機器が配設され、該取付部材を前記遊技機本体に取付けることにより、前記記録媒体対応用機器の前記遊技機本体への装備が可能となり、
　前記価値付与手段は、前記入賞玉が検出される毎に当該入賞玉に対応して払出すべき景品玉数を未払出数として加算するとともに、景品玉を払出す毎に当該払出した景品玉数を前記未払出数から減算し、前記未払出数がなくなれば景品玉の払出しを停止し、
　前記記録媒体対応用機器は、前記記録媒体処理装置からの表示用制御信号により前記記録媒体の記録情報によって特定される有価価値を使用して玉貸が可能である旨を表示する引落可能表示手段と、玉貸の実行を要求するための玉貸操作手段と、前記記録媒体を遊技者に返却するための返却操作手段と、前記記録媒体処理装置からの表示用制御信号により前記記録媒体の記録情報により特定される有価価値の残高を表示する残高表示器とを含み、
　前記残高表示器と前記払出制御基板とは、ともに前記記録媒体処理装置に接続される共通の中継端子基板に接続され、
　前記中継端子基板には、前記記録媒体処理装置に接続されるための単一のコネクタ接続部が設けられ、
　前記価値付与手段は、前記玉貸操作手段の操作による前記記録媒体処理装置からの前記玉貸要求信号を受信したことを条件として、所定の１単位の貸玉を払出し、
　前記遊技機は、前記１単位の貸玉の払出しが完了したか否かを判別する貸玉完了判別手段と、
　前記１単位の貸玉の払出しが完了したと前記貸玉完了判別手段によって判別される毎に単位額売上信号を管理コンピュータへ向けて出力する単位額売上信号出力手段とをさらに含み、
　前記引落可能表示手段は、前記有価価値を使用して玉貸が可能である旨を表示している状態で前記玉貸操作手段または前記返却操作手段が操作された場合に、前記有価価値を使用して玉貸が可能である旨の表示とは異なる状態に変化することを特徴とする。」と訂正する。
ケ・訂正事項ｉ
　特許明細書の段落【０００６】中の記載を「請求項１に記載の本発明によれば、入賞玉検出手段の働きにより、入賞口へ入賞した入賞玉が検出される。価値付与手段の働きにより、前記入賞玉検出手段によって入賞玉が検出された場合に、遊技用有価価値としての景品玉を払出す制御が行なわれるとともに、所定の記録媒体の記録情報を読み取って、該記録情報により特定される有価価値の使用と引換えにした貸玉の払出しを要求する玉貸要求信号を出力する記録媒体処理装置からの該玉貸要求信号が送信されてきたことを条件として、貸玉を払出す制御が行なわれる。払出制御基板の働きにより、前記価値付与手段が搭載される。価値付与判別手段の働きにより、前記価値付与手段による付与価値として払出された景品玉が所定量に達したか否かが判別される。情報出力手段の働きにより、前記価値付与判別手段により付与価値として払出された景品玉が所定量に達したと判別される毎にその旨の価値付与情報が遊技機から出力される。そして、前記取付部材には、前記所定の記録媒体の記録情報によって特定される有価価値を使用して玉貸を行なうための記録媒体対応用機器が配設され、該取付部材を前記遊技機本体に取付けることにより、前記記録媒体対応用機器の前記遊技機本体への装備が可能となる。前記価値付与手段は、前記入賞玉が検出される毎に当該入賞玉に対応して払出すべき景品玉数を未払出数として加算するとともに、景品玉を払出す毎に当該払出した景品玉数を前記未払出数から減算し、前記未払出数がなくなれば景品玉の払出しを停止する。さらに、前記記録媒体対応用機器は、前記記録媒体処理装置からの表示用制御信号により前記記録媒体の記録情報によって特定される有価価値を使用して玉貸が可能である旨を表示する引落可能表示手段と、玉貸の実行を要求するための玉貸操作手段と、前記記録媒体を遊技者に返却するための返却操作手段と、前記記録媒体処理装置からの表示用制御信号により前記記録媒体の記録情報により特定される有価価値の残高を表示する残高表示器とを含んでいる。前記残高表示器と前記払出制御基板とは、ともに前記記録媒体処理装置に接続される共通の中継端子基板に接続されている。そして、前記中継端子基板には、前記記録媒体処理装置に接続されるための単一のコネクタ接続部が設けられている。前記価値付与手段は、前記玉貸操作手段の操作による前記記録媒体処理装置からの前記玉貸要求信号を受信したことを条件として、所定の１単位の貸玉を払出す。前記遊技機は、前記１単位の貸玉の払出しが完了したか否かを判別する貸玉完了判別手段と、前記１単位の貸玉の払出しが完了したと前記貸玉完了判別手段によって判別される毎に単位額売上信号を管理コンピュータへ向けて出力する単位額売上信号出力手段とをさらに含んでいる。そして、引落可能表示手段は、前記有価価値を使用して玉貸が可能である旨を表示している状態で前記玉貸操作手段または前記返却操作手段が操作された場合に、前記有価価値を使用して玉貸が可能である旨の表示とは異なる状態に変化する。」と訂正する。
（２−２）訂正の目的、新規事項の有無及び拡張・変更の存否
　上記訂正事項ａは、価値付与手段が景品玉のみならず記録媒体による貸玉の払出しをも制御することを限定するものであり、そして、このことは、特許明細書の段落【０００９】、【００１５】、【００１６】、【００６８】、【００８０】及び【００８２】に記載されているから、特許請求の範囲の減縮を目的とした明細書の訂正に該当し、
上記訂正事項ｂは、価値付与手段が払出制御基板に搭載されることを限定するものであり、そして、このことは、特許明細書の段落【００１５】及び【００１８】に記載されているから、特許請求の範囲の減縮を目的とした明細書の訂正に該当し、
上記訂正事項ｃは、付与価値が所定量に達したか否かの判別を価値付与判別手段に行わせることを限定するとともに、付与価値が景品玉であることを限定するものであり、そして、このことは、特許明細書の段落【０１０４】に記載されているから、特許請求の範囲の減縮を目的とした明細書の訂正に該当し、
上記訂正事項ｄは、「遊技機による遊技」を下位概念である「玉貸」と限定するものであり、そして、このことは、特許明細書の段落【００１０】及び【００３１】に記載されているから、特許請求の範囲の減縮を目的とした明細書の訂正に該当し、
上記訂正事項ｅは、「有価価値からの遊技に使用するための価値の引落」を下位概念である「有価価値を使用して玉貸」と、引落可能表示手段の内容を「記録媒体処理装置からの表示用制御信号により」と、「前記価値の引落を行なう」を下位概念である「玉貸の実行を要求する」と、記録媒体対応用機器には「残高表示器」が含まれることを、それぞれ限定するものであり、そして、これらのことは、特許明細書の段落【００１０】、【００１２】、【００３０】、【００６７】、【００６８】、【００７９】及び【００８０】並びに図１、図１９及び図２１に記載されているから、特許請求の範囲の減縮を目的とした明細書の訂正に該当し、
上記訂正事項ｆは、残高表示器と払出制御基板と記録媒体処理装置に接続される中継端子基板との関係を、中継端子基板の構造を、価値付与手段の構成を、貸玉完了判別手段の構成を、単位額売上信号出力手段の構成を、それぞれ限定するものであり、そして、これらのことは、特許明細書の段落【００１２】、【００１５】、【００６５】、【００７９】、【００８０】、【００８９】、【００９２】、【００９３】及び【００９９】並びに図２、図１９、図２１、図２３及び図２４に記載されているから、特許請求の範囲の減縮を目的とした明細書の訂正に該当し、
上記訂正事項ｇは、上記訂正事項ｅと整合を図るものであるから、明りょうでない記載の釈明を目的とした明細書の訂正に該当し、
上記訂正事項ｈ及びｉは、上記訂正事項ａ〜ｇと整合を図るものであるから、明りょうでない記載の釈明を目的とした明細書の訂正に該当し、
いずれも、新規事項の追加に該当せず、実質的に特許請求の範囲を拡張し、変更するものではない。
（２−３）むすび
　したがって、上記訂正は、特許法の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
３・特許異議の申立ての理由及び取消理由についての判断
（３−１）特許異議の申立ての理由の概要
　申立人は、
甲第１号証（特開平１−１３６６８１号公報）、甲第２号証（特開平２−２０９１７５号公報）、甲第３号証（特開昭６０−１１４２８３号公報）及び甲第４号証（特開平２−２９１８８５号公報）
を引用し、
本件発明は、本件特許出願前に頒布された刊行物である甲号各証に記載された発明に基いて当業者が容易に発明をすることことができたものであるから、特許法第２９条第２項の規定により特許を受けることができないものであり、本件発明についての特許は、取り消されるべきものであると主張している。
（３−２）取消理由及び再度の取消理由の概要
　本件特許出願は、原出願の一部を新たな特許出願とするものとは認められず、その出願日は平成１１年８月９日であり、したがって、本件発明は、原出願の公開公報である特開平４−３２９９８８号公報に記載された発明であるから特許法第２９条１項第３号に該当し、また、本件特許出願は、特許明細書の記載が不明瞭であって特許法第３６条第４項及び第５項に規定する要件を満たしていないから、本件発明についての特許は、取り消されるべきものである。
（３−３）本件発明
　上記（２−３）の所に記したように、上記訂正が認められるので、本件発明は、上記訂正請求に係る訂正明細書の特許請求の範囲の請求項１に記載された事項により特定される下記のとおりである。
　「１・遊技機本体と、該遊技機本体に対し交換可能に取付けられる取付部材とを含む遊技機であって、
　遊技領域に設けられた入賞口と、
　該入賞口へ入賞した入賞玉を検出する入賞玉検出手段と、
　該入賞玉検出手段によって入賞玉が検出された場合に、遊技用有価価値としての景品玉を払出す制御を行なうとともに、所定の記録媒体の記録情報を読み取って、該記録情報により特定される有価価値の使用と引換えにした貸玉の払出しを要求する玉貸要求信号を出力する記録媒体処理装置からの該玉貸要求信号が送信されてきたことを条件として、貸玉を払出す制御を行なう価値付与手段と、
　該価値付与手段を搭載する払出制御基板と、
　該価値付与手段による付与価値として払出された景品玉が所定量に達したか否かを判別する価値付与判別手段と、
　該価値付与判別手段により付与価値として払出された景品玉が所定量に達したと判別される毎にその旨の価値付与情報を前記遊技機から出力する情報出力手段とを含み、
　前記取付部材には、前記所定の記録媒体の記録情報によって特定される有価価値を使用して玉貸を行なうための記録媒体対応用機器が配設され、該取付部材を前記遊技機本体に取付けることにより、前記記録媒体対応用機器の前記遊技機本体への装備が可能となり、
　前記価値付与手段は、前記入賞玉が検出される毎に当該入賞玉に対応して払出すべき景品玉数を未払出数として加算するとともに、景品玉を払出す毎に当該払出した景品玉数を前記未払出数から減算し、前記未払出数がなくなれば景品玉の払出しを停止し、
　前記記録媒体対応用機器は、前記記録媒体処理装置からの表示用制御信号により前記記録媒体の記録情報によって特定される有価価値を使用して玉貸が可能である旨を表示する引落可能表示手段と、玉貸の実行を要求するための玉貸操作手段と、前記記録媒体を遊技者に返却するための返却操作手段と、前記記録媒体処理装置からの表示用制御信号により前記記録媒体の記録情報により特定される有価価値の残高を表示する残高表示器とを含み、
　前記残高表示器と前記払出制御基板とは、ともに前記記録媒体処理装置に接続される共通の中継端子基板に接続され、
　前記中継端子基板には、前記記録媒体処理装置に接続されるための単一のコネクタ接続部が設けられ、
　前記価値付与手段は、前記玉貸操作手段の操作による前記記録媒体処理装置からの前記玉貸要求信号を受信したことを条件として、所定の１単位の貸玉を払出し、
　前記遊技機は、前記１単位の貸玉の払出しが完了したか否かを判別する貸玉完了判別手段と、
　前記１単位の貸玉の払出しが完了したと前記貸玉完了判別手段によって判別される毎に単位額売上信号を管理コンピュータへ向けて出力する単位額売上信号出力手段とをさらに含み、
　前記引落可能表示手段は、前記有価価値を使用して玉貸が可能である旨を表示している状態で前記玉貸操作手段または前記返却操作手段が操作された場合に、前記有価価値を使用して玉貸が可能である旨の表示とは異なる状態に変化することを特徴とする、遊技機。」
（３−４）上記（３−２）における取消理由及び再度の取消理由の概要について
　上記（２−１）の訂正事項ａ〜ｉによって、これらの理由は解消したものと認められるから、これらの理由は採用しない。
（３−５）特許異議の申立ての理由において引用された甲号各証に記載された発明
　甲第１号証には、
「カード式パチンコ機であって、
　遊技領域に設けられた入賞口と、
　該入賞口へ入賞した入賞玉を検出する入賞センサ２４と、
　該入賞センサ２４によって入賞玉が検出された場合に、出玉を払出す制御を行なうとともに、所定のプリペイドカード３６の記録情報を読み取って、該記録情報により特定される度数の使用と引換えにした貸玉の払出しを要求する玉貸要求信号を出力するカード処理部、精算部及び選択部からの該玉貸要求信号が送信されてきたことを条件として、貸玉を払出す制御を行なう玉切り装置１８と、
　出玉の数を前記カード式パチンコ機から出力するインターフェイス３１とを含み、
　前記カード式パチンコ機には、前記所定のプリペイドカード３６の記録情報によって特定される度数を使用して玉貸を行なうための精算部及び選択部が配設され、
　前記精算部及び選択部は、前記カード処理部、精算部及び選択部からの表示用制御信号により前記プリペイドカード３６の記録情報によって特定される度数を使用して玉貸が可能である旨を表示する度数選択スイッチＡ〜Ｅに内蔵された表示灯ａ〜ｅと、玉貸の実行を要求するための度数選択スイッチＡ〜Ｅと、前記プリペイドカード３６を遊技者に返却するための精算スイッチＦと、前記カード処理部、精算部及び選択部からの表示用制御信号により前記プリペイドカード３６の記録情報により特定される度数の現度数を表示する現度数表示ディスプレイ４とを含み、
　前記玉切り装置１８は、前記度数選択スイッチＡ〜Ｅの操作による前記カード処理部、精算部及び選択部からの前記玉貸要求信号を受信したことを条件として、所定の１度数の貸玉を払出し、
　保有玉数、出玉数、弾発数等のデータをホール・コンピュータへ向けて出力するインターフェース３１とをさらに含み、
　前記度数選択スイッチＡ〜Ｅに内蔵された表示灯ａ〜ｅは、前記度数を使用して玉貸が可能である旨を表示している状態で前記度数選択スイッチＡ〜Ｅまたは前記精算スイッチＦが操作された場合に、度数選択スイッチＡ〜Ｅに内蔵された表示灯ａ〜ｅの表示出力をクリアする、カード式パチンコ機」
を構成とする発明が記載されているものと認められる。
　甲第２号証には、
「パチンコ機１００本体と、該パチンコ機１００本体に対し交換可能に取付けられる前面パネル１０５とを含むパチンコ機１００であって、
　遊技領域に設けられた入賞領域と、
　該入賞領域へ入賞した入賞玉を検出するセーフセンサと、
　前記前面パネル１０５には、所定のカードＣＤの記録情報によって特定される有価価値を使用して玉貸を行なうための操作パネル１１０が配設され、該前面パネル１０５を前記パチンコ機１００本体に取付けることにより、前記操作パネル１１０の前記パチンコ機１００本体への装備が可能となり、
　前記操作パネル１１０は、制御ユニット１６０からの表示用制御信号により前記カードＣＤの記録情報によって特定される有価価値を使用して玉貸が可能である旨を表示する購入ランプ１２１と、玉貸の実行を要求するための購入スイッチ１１３と、前記カードＣＤを遊技者に返却するための終了スイッチ１１５と、前記制御ユニット１６０からの表示用制御信号により前記カードＣＤの記録情報により特定される有価価値の度数を表示する金額表示器１１１とを含み、
　管理装置４００をさらに含む、パチンコ機１００」
を構成とする発明が記載されているものと認められる。
　甲第３号証には、
「遊技機であって、
　遊技盤面１００に設けられた入賞部１〜９と、
　該入賞部１〜９へ入賞した入賞玉を検出する入賞球センサＳ１〜Ｓ９と、
　該入賞球センサＳ１〜Ｓ９によって入賞球が検出された場合に、賞品球を払戻す制御を行なう賞球排出装置２３と、
　入賞球及びアウト球がそれぞれ１０に達したと判別される毎にその旨の情報を前記遊技機から出力する伝送回路９０とを含み、
　中央制御装置をさらに含む、遊技機」
を構成とする発明が記載されているものと認められる。
　甲第４号証には、
「遊技機であって、
　遊技領域１５に設けられた入賞口と、
　該入賞口へ入賞した入賞玉を検出する入賞玉検出手段と、
　該入賞玉検出手段によって入賞玉が検出された場合に、遊技用有価価値としての景品玉を払出す制御を行なう景品玉払出装置５９と、
　該景品玉払出装置５９による付与価値として払出された景品玉が所定量に達したか否かを判別する景品玉払出制御手段と、
　前記景品玉払出装置５９は、前記入賞玉が検出される毎に当該入賞玉に対応して払出すべき景品玉数を未払出数として加算するとともに、景品玉を払出す毎に当該払出した景品玉数を前記未払出数から減算し、前記未払出数がなくなれば景品玉の払出しを停止する、遊技機」
を構成とする発明が記載されているものと認められる。
（３−６）対比及び判断
　本件発明（前者）と甲第１号証に記載された発明（後者）とを対比すると、
後者の
「カード式パチンコ機」、「入賞センサ２４」、「出玉」、「プリペイドカード３６」、「度数」、「カード処理部、精算部及び選択部」、「玉切り装置１８」、「出玉」、「数」、「インターフェイス３１」、「精算部及び選択部」、「度数選択スイッチＡ〜Ｅに内蔵された表示灯ａ〜ｅ」、「度数選択スイッチＡ〜Ｅ」、「精算スイッチＦ」、「現度数」、「現度数表示ディスプレイ４」、「１度数」、「ホール・コンピュータ」、「インターフェース３１」及び「度数選択スイッチＡ〜Ｅに内蔵された表示灯ａ〜ｅの表示出力をクリアする」
がそれぞれの機能に照らし、それぞれ
前者の
「遊技機」、「入賞玉検出手段」、「遊技用有価価値としての景品玉」、「記録媒体」、「有価価値」、「記録媒体処理装置」、「価値付与手段」、「付与価値として払出された景品玉」、「価値付与情報」、「情報出力手段」、「記録媒体対応用機器」、「引落可能表示手段」、「玉貸操作手段」、「返却操作手段」、「残高」、「残高表示器」、「１単位」、「管理コンピュータ」、「単位額売上信号出力手段」及び「前記有価価値を使用して玉貸が可能である旨の表示とは異なる状態に変化する」
に相当するものと認められ、
また、保有玉数、出玉数、弾発数等のデータを用いて貸玉数が得られることは自明であるから、後者の「保有玉数、出玉数、弾発数等のデータ」が前者の「単位額売上信号」に相当するものと認められ、
したがって、
両者は、
「遊技機であって、
　遊技領域に設けられた入賞口と、
　該入賞口へ入賞した入賞玉を検出する入賞玉検出手段と、
　該入賞玉検出手段によって入賞玉が検出された場合に、遊技用有価価値としての景品玉を払出す制御を行なうとともに、所定の記録媒体の記録情報を読み取って、該記録情報により特定される有価価値の使用と引換えにした貸玉の払出しを要求する玉貸要求信号を出力する記録媒体処理装置からの該玉貸要求信号が送信されてきたことを条件として、貸玉を払出す制御を行なう価値付与手段と、
　付与価値として払出された景品玉の価値付与情報を前記遊技機から出力する情報出力手段とを含み、
　遊技機前面には、前記所定の記録媒体の記録情報によって特定される有価価値を使用して玉貸を行なうための記録媒体対応用機器が配設され、
　前記記録媒体対応用機器は、前記記録媒体処理装置からの表示用制御信号により前記記録媒体の記録情報によって特定される有価価値を使用して玉貸が可能である旨を表示する引落可能表示手段と、玉貸の実行を要求するための玉貸操作手段と、前記記録媒体を遊技者に返却するための返却操作手段と、前記記録媒体処理装置からの表示用制御信号により前記記録媒体の記録情報により特定される有価価値の残高を表示する残高表示器とを含み、
　前記価値付与手段は、前記玉貸操作手段の操作による前記記録媒体処理装置からの前記玉貸要求信号を受信したことを条件として、所定の１単位の貸玉を払出し、
　単位額売上信号を管理コンピュータへ向けて出力する単位額売上信号出力手段とをさらに含み、
　前記引落可能表示手段は、前記有価価値を使用して玉貸が可能である旨を表示している状態で前記玉貸操作手段または前記返却操作手段が操作された場合に、前記有価価値を使用して玉貸が可能である旨の表示とは異なる状態に変化する、遊技機」である、
点において一致し、
ア・前者においては、記録媒体対応用機器が配設されるのが、遊技機本体に対し交換可能に取付けられる取付部材であり、該取付部材を前記遊技機本体に取付けることにより、前記記録媒体対応用機器の前記遊技機本体への装備が可能となっており、前記記録媒体対応用機器に含まれる残高表示器が、払出制御基板とともに記録媒体処理装置に接続される共通の中継端子基板に接続され、該中継端子基板には、前記記録媒体処理装置に接続されるための単一のコネクタ接続部が設けられている、
のに対し、
後者においては、記録媒体対応用機器が配設されるのが、遊技機である、
イ・前者が、（Ａ）価値付与手段を搭載する払出制御基板と、（Ｂ）該価値付与手段による付与価値として払出された景品玉が所定量に達したか否かを判別する価値付与判別手段とを含み、（Ｃ）前記価値付与手段は、入賞玉が検出される毎に当該入賞玉に対応して払出すべき景品玉数を未払出数として加算するとともに、景品玉を払出す毎に当該払出した景品玉数を前記未払出数から減算し、前記未払出数がなくなれば景品玉の払出しを停止し、（Ｄ）遊技機は、１単位の貸玉の払出しが完了したか否かを判別する貸玉完了判別手段とをさらに含む、
のに対し、
後者が、かかる構成を備えていない、
ウ・価値付与情報が、
前者は、前者が備える価値付与判別手段（相違点イ・（Ｂ）参照）により景品玉が所定量に達したと判別される毎に出力される、
のに対し、　
後者は、かかる構成を備えていない、
エ・単位額売上信号が、
前者は、１単位の貸玉の払出しが完了したと前者が備える貸玉完了判別手段（相違点イ・（Ｄ）参照）によって判別される毎に出力される、
のに対し、
後者は、かかる構成を備えていない、
点において相違しているものと認められる。
　そこで、これらの相違点について検討する。
　先ず、相違点ア・についてみると、
甲第２号証に記載された発明の
「パチンコ機１００」、「前面パネル１０５」、「入賞領域」、「セーフセンサ」、「カードＣＤ」、「操作パネル１１０」、「制御ユニット１６０」、「購入ランプ１２１」、「購入スイッチ１１３」、「終了スイッチ１１５」、「度数」、「金額表示器１１１」及び「管理装置４００」
がそれぞれの機能に照らし、それぞれ
前者の
「遊技機」、「取付部材」、「入賞口」、「入賞玉検出手段」、「記録媒体」、「記録媒体対応用機器」、「記録媒体処理装置」、「引落可能表示手段」、「玉貸操作手段」、「返却操作手段」、「残高」、「残高表示器」及び「管理コンピュータ」
に相当するものと認められるから、
甲第２号証に記載された発明には、
「遊技機本体と、該遊技機本体に対し交換可能に取付けられる取付部材とを含む遊技機であって、
　遊技領域に設けられた入賞口と、
　該入賞口へ入賞した入賞玉を検出する入賞玉検出手段とを含み、
　前記取付部材には、所定の記録媒体の記録情報によって特定される有価価値を使用して玉貸を行なうための記録媒体対応用機器が配設され、該取付部材を前記遊技機本体に取付けることにより、前記記録媒体対応用機器の前記遊技機本体への装備が可能となり、
　前記記録媒体対応用機器は、記録媒体処理装置からの表示用制御信号により前記記録媒体の記録情報によって特定される有価価値を使用して玉貸が可能である旨を表示する引落可能表示手段と、玉貸の実行を要求するための玉貸操作手段と、前記記録媒体を遊技者に返却するための返却操作手段と、前記記録媒体処理装置からの表示用制御信号により前記記録媒体の記録情報により特定される有価価値の残高を表示する残高表示器とをさらに含む、遊技機」という構成、
すなわち、
相違点ア・の前者の構成の一部である、
「記録媒体対応用機器が配設されるのが、遊技機本体に対し交換可能に取付けられる取付部材であり、該取付部材を前記遊技機本体に取付けることにより、前記記録媒体対応用機器の前記遊技機本体への装備が可能となっており」という構成、
が備わっているものと認められる。
　しかし、「記録媒体を使用しない従来方式の遊技機をベースとしてその従来方式の遊技機を記録媒体対応型の遊技機に改造するにおいて、前記記録媒体対応用機器を設けるための大幅な設計変更を行なって大幅な改造を行なわなければならないという欠点が生じる・・・従来方式の遊技機を極力有効利用しながらそれほど大幅な設計変更を行なうことなく記録媒体対応型の遊技機への改造を可能とする」（段落【０００３】，【０００４】）という前者の【発明が解決しようとする課題】からすれば、相違点ア・にいう遊技機本体は、従来方式の遊技機であることが必要かつ十分な要件であるところ、甲第２号証に記載された発明における遊技機本体は、従来方式の遊技機が備えるべき価値付与手段を備えていないことからも明らかなように、そもそも記録媒体対応型の遊技機そのものであり、しかも、後者もそもそも記録媒体対応型の遊技機であるから、記録媒体対応型の遊技機である後者に、これまた記録媒体対応型の遊技機である甲第２号証に記載された発明を適用しても、前者の「従来方式の遊技機を極力有効利用しながらそれほど大幅な設計変更を行なうことなく記録媒体対応型の遊技機への改造を可能とする」という【発明が解決しようとする課題】が解決される訳がなく、その上、前者には、前記構成の一部に続いて、「記録媒体対応用機器に含まれる残高表示器が、払出制御基板とともに記録媒体処理装置に接続される共通の中継端子基板に接続され、該中継端子基板には、前記記録媒体処理装置に接続されるための単一のコネクタ接続部が設けられている」という、従来方式の遊技機を記録媒体対応型の遊技機に改造するときに必要な記録媒体対応用機器と記録媒体処理装置との接続のための具体的な構成があるのに、後者には、このような構成もないから、後者に甲第２号証に記載された発明を適用しても、相違点ア・の前者の構成は到底生じないというべきである。
　そして、甲第３号証及び甲第４号証に記載された各発明にも、前記【発明が解決しようとする課題】を解決する構成はないから、前者が後者並びに甲第３号証及び甲第４号証に記載された各発明に基いて容易に発明をすることができものであるということはできない。
　しかも、前者は、相違点ア・の前者の構成によって、特許明細書の段落【０１１４】に記載された「取付部材を設計変更して記録媒体対応用機器を集約的に配設してその取付部材を遊技機本体に取付けることにより、遊技機本体をそれほど設計変更することなく記録媒体対応用機器を遊技機に装備することが可能となり、従来方式の遊技機を極力有効利用しながら記録媒体対応型遊技機への改造が可能となる」という効果を奏するものと認められる。
　したがって、他の相違点イ・〜エ・を検討するまでもなく、特許法第２９条第２項の規定により特許を受けることができないという主張は採用できない。
　（３−７）まとめ
　以上のとおりであるから、特許異議申立ての理由及び証拠並びに取消理由によっては本件発明についての特許を取り消すことはできない。
　また、他に本件発明の特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年１２月７日（２００４．１２．７）
【訂正の要旨】
審決（決定）の【理由】欄参照。
（５４）【発明の名称】
遊技機
（５７）【特許請求の範囲】
　【請求項１】　遊技機本体と、該遊技機本体に対し交換可能に取付けられる取付部材とを含む遊技機であって、
　遊技領域に設けられた入賞口と、
　該入賞口へ入賞した入賞玉を検出する入賞玉検出手段と、
　該入賞玉検出手段によって入賞玉が検出された場合に、遊技用有価価値としての景品玉を払出す制御を行なうと
ともに、所定の記録媒体の記録情報を読み取って、該記録情報により特定される有価価値の使用と引換えにした貸玉の払出しを要求する玉貸要求信号を出力する記録媒体処理装置からの該玉貸要求信号が送信されてきたことを条件として、貸玉を払出す制御を行なう
　
該価値付与手段を搭載する払出制御基板と、
　該価値付与手段による付与価値
として払出された景品玉
達したか否かを判別する価値付与判別手段と、
　
該価値付与判別手段により付与価値として払出された景品玉が所定量に達したと判別される
　前記取付部材には、
前記
玉貸
　前記価値付与手段は、前記入賞玉が検出される毎に当該入賞玉に対応して払出すべき景品玉数を未払出数として加算するとともに、景品玉を払出す毎に当該払出した景品玉数を前記未払出数から減算し、前記未払出数がなくなれば景品玉の払出しを停止し、
　前記記録媒体対応用機器は、
前記記録媒体処理装置からの表示用制御信号により
を
して玉貸
玉貸の実行を要求する
玉貸
、前記記録媒体処理装置からの表示用制御信号により前記記録媒体の記録情報により特定される有価価値の残高を表示する残高表示器と
　
前記残高表示器と前記払出制御基板とは、ともに前記記録媒体処理装置に接続される共通の中継端子基板に接続され、
　
前記中継端子基板には、前記記録媒体処理装置に接続されるための単一のコネクタ接続部が設けられ、
　
前記価値付与手段は、前記玉貸操作手段の操作による前記記録媒体処理装置からの前記玉貸要求信号を受信したことを条件として、所定の１単位の貸玉を払出し、
　
前記遊技機は、前記１単位の貸玉の払出しが完了したか否かを判別する貸玉完了判別手段と、
　
前記１単位の貸玉の払出しが完了したと前記貸玉完了判別手段によって判別される毎に単位額売上信号を管理コンピュータへ向けて出力する単位額売上信号出力手段とをさらに含み、
　前記引落可能表示手段は、前記
有価
を使用して玉貸
玉貸
有価
を使用して玉貸
【発明の詳細な説明】
　【０００１】
　【産業上の利用分野】
　本発明は、パチンコ遊技機やコイン遊技機あるいはスロットマシン等で代表される遊技機に関し、詳しくは、遊技機本体と該遊技機本体に対し交換可能に取付けられる取付部材とを含む遊技機に関する。
　【０００２】
　【従来の技術】
　この種の遊技機において、従来から一般的に知られているものに、たとえば、磁気カード等の所定の記録媒体の記録情報によって特定される有価価値を使用して遊技が可能となる遊技機があった。
　【０００３】
　【発明が解決しようとする課題】
　この種の従来の遊技機においては、前記記録媒体の記録情報によって特定される有価価値を使用して遊技機による遊技を行なうためには、たとえば、遊技に使用せんとする記録媒体の記録情報によって特定される有価価値の残高を表示するための残高表示器や、遊技に使用するべく挿入された記録媒体を遊技終了時に返却するために操作される返却操作ボタン等のような記録媒体対応用機器を設ける必要がある。しかし、このような記録媒体対応用機器をむやみに遊技機本体に取付けんとした場合には、その記録媒体対応用機器を取付けるために遊技機本体を大幅に設計変更しなければならないという不都合が生じる。つまり、前記記録媒体を使用しない従来方式の遊技機をベースとしてその従来方式の遊技機を記録媒体対応型の遊技機に改造するにおいて、前記記録媒体対応用機器を設けるための大幅な設計変更を行なって大幅な改造を行なわなければならないという欠点が生じる。
　【０００４】
　本発明は、係る実情に鑑み考え出されたものであり、記録媒体を使用しない従来方式の遊技機を極力有効利用しながらそれほど大幅な設計変更を行なうことなく記録媒体対応型遊技機への改造を可能とすることにある。
　【０００５】
　【課題を解決するための手段】
　請求項１に記載の本発明は、遊技機本体と、該遊技機本体に対し交換可能に取付けられる取付部材とを含む遊技機であって、
　遊技領域に設けられた入賞口と、
　該入賞口へ入賞した入賞玉を検出する入賞玉検出手段と、
　該入賞玉検出手段によって入賞玉が検出された場合に、遊技用有価価値としての景品玉を払出す制御を行なうと
ともに、所定の記録媒体の記録情報を読み取って、該記録情報により特定される有価価値の使用と引換えにした貸玉の払出しを要求する玉貸要求信号を出力する記録媒体処理装置からの該玉貸要求信号が送信されてきたことを条件として、貸玉を払出す制御を行なう
　
該価値付与手段を搭載する払出制御基板と、
　該価値付与手段による付与価値
として払出された景品玉
達したか否かを判別する価値付与判別手段と、
　
該価値付与判別手段により付与価値として払出された景品玉が所定量に達したと判別される
　前記取付部材には、
前記
玉貸
　前記価値付与手段は、前記入賞玉が検出される毎に当該入賞玉に対応して払出すべき景品玉数を未払出数として加算するとともに、景品玉を払出す毎に当該払出した景品玉数を前記未払出数から減算し、前記未払出数がなくなれば景品玉の払出しを停止し、
　前記記録媒体対応用機器は、
前記記録媒体処理装置からの表示用制御信号により
を
して玉貸
玉貸の実行を要求する
玉貸
、前記記録媒体処理装置からの表示用制御信号により前記記録媒体の記録情報により特定される有価価値の残高を表示する残高表示器と
　
前記残高表示器と前記払出制御基板とは、ともに前記記録媒体処理装置に接続される共通の中継端子基板に接続され、
　
前記中継端子基板には、前記記録媒体処理装置に接続されるための単一のコネクタ接続部が設けられ、
　
前記価値付与手段は、前記玉貸操作手段の操作による前記記録媒体処理装置からの前記玉貸要求信号を受信したことを条件として、所定の１単位の貸玉を払出し、
　
前記遊技機は、前記１単位の貸玉の払出しが完了したか否かを判別する貸玉完了判別手段と、
　
前記１単位の貸玉の払出しが完了したと前記貸玉完了判別手段によって判別される毎に単位額売上信号を管理コンピュータへ向けて出力する単位額売上信号出力手段とをさらに含み、
　前記引落可能表示手段は、前記
有価
を使用して玉貸
玉貸
有価
を使用して玉貸
　【０００６】
　【作用】
　請求項１に記載の本発明によれば、入賞玉検出手段の働きにより、入賞口へ入賞した入賞玉が検出される。価値付与手段の働きにより、前記入賞玉検出手段によって入賞玉が検出された場合に、遊技用有価価値としての景品玉を払出す制御が行なわれる
ともに、所定の記録媒体の記録情報を読み取って、該記録情報により特定される有価価値の使用と引換えにした貸玉の払出しを要求する玉貸要求信号を出力する記録媒体処理装置からの該玉貸要求信号が送信されてきたことを条件として、貸玉を払出す制御が行なわれる。払出制御基板の働きにより、前記価値付与手段が搭載される。価値付与判別手段の働きにより、
として払出された景品玉
達したか否かが判別される。情報出力手段の働きにより、前記価値付与判別手段により付与価値として払出された景品玉が所定量に達したと判別される
。
前記
玉貸
前記記録媒体処理装置からの表示用制御信号により
を
して玉貸
玉貸の実行を要求する
玉貸
、前記記録媒体処理装置からの表示用制御信号により前記記録媒体の記録情報により特定される有価価値の残高を表示する残高表示器と
前記残高表示器と前記払出制御基板とは、ともに前記記録媒体処理装置に接続される共通の中継端子基板に接続されている。そして、前記中継端子基板には、前記記録媒体処理装置に接続されるための単一のコネクタ接続部が設けられている。前記価値付与手段は、前記玉貸操作手段の操作による前記記録媒体処理装置からの前記玉貸要求信号を受信したことを条件として、所定の１単位の貸玉を払出す。前記遊技機は、前記１単位の貸玉の払出しが完了したか否かを判別する貸玉完了判別手段と、前記１単位の貸玉の払出しが完了したと前記貸玉完了判別手段によって判別される毎に単位額売上信号を管理コンピュータへ向けて出力する単位額売上信号出力手段とをさらに含んでいる。
有価
を使用して玉貸
玉貸
有価
を使用して玉貸
　【０００７】
　【発明の実施例】
　次に、本発明の実施例を図面に基づいて詳細に説明する。なお、本実施例では遊技機の一例としてのパチンコ遊技機を示したが、本発明はこれに限らず、コイン遊技機やスロットマシン等であってもよい。
　【０００８】
　図１は、本発明に係る玉払出装置が用いられている弾球遊技機の一例のパチンコ遊技機６０およびカード処理機６２を示す正面図である。
　【０００９】
　パチンコ遊技機６０の左右方向一側部（図面では左側）にはカード処理機６２がパチンコ遊技機６０に対し分離可能な状態で設けられている。図中１３０は処理機使用可表示器であり、カード処理機６２が作動中で使用可能である旨を点灯表示するためのものである。カード処理機６２にはカードリーダライタが設けられたカードリーダライタ制御部１３４が設けられており、カード挿入・排出口１３３からカードを挿入すればそのカードに記録されている記録情報がこのカードリーダライタにより読取れる。その読取られたカード情報に含まれている挿入時のカード残額が挿入時残高表示器１３１により表示される。この挿入時残高表示器１３１は、パチンコ遊技機６０側に設けてもよく、また、幕板等の他の場所に設けてもよい。このカード処理機６２にはＣＰＵ，ＲＯＭ，ＲＡＭ等が内蔵されたカード処理機制御部１３５が設けられており、このカード処理機制御部１３５よりカード処理機６２全体が制御される。
　【００１０】
　遊技者がこのカード挿入・排出口１３３にカードを挿入してその挿入カードが適正でかつカード残額が残っている場合で玉貸操作が可能な場合には、カード処理機制御部１３５からパチンコ遊技機６０側に玉貸可ＬＥＤ点灯用の制御信号が出力されて玉貯留皿５９に設けられている玉貸可ＬＥＤ（玉貸可表示器）４８ｄが点灯される。この玉貸可ＬＥＤ（玉貸可表示器）４８ｄは玉貸操作ができる旨を点灯表示するものである。遊技者がこの玉貸可ＬＥＤ（玉貸可表示器）４８ｄの点灯していることを確認して玉貸ボタン４４ｃを押圧操作する。すると、後述するたとえばロータリスイッチ等からなる貸玉額設定スイッチ１３７によって予め設定されている一回の玉貸操作により払出される貸玉額（以下、単に貸玉額という）分の遊技玉（パチンコ玉）が打球供給皿５９内に払出される。この貸玉額分の払出が終了するまでは玉貸可ＬＥＤ（玉貸可表示器）４８ｄが消灯する。そして貸玉額分のパチンコ玉の払出が終了した段階でカード処理機６２内に挿入されているカードのカード残額が貸玉額分減額更新される。
　【００１１】
　図中４２ｃは返却ボタンであり、玉貸可ＬＥＤ（玉貸可表示器）４８ｄの点灯している期間中操作が有効なものである。この返却ボタン４２ｃが遊技者によって押圧操作されることにより、カード処理機６２内に挿入されているカードがカード挿入・排出口１３３から遊技者側に返却される。なお、カード挿入・排出口１３３に挿入されているカードの残額をすべて使い果たした場合にはその０カードが機内に回収される。このカード挿入・排出口１３３は、カードが挿入・排出される溝部分の外周に突条が設けられており、図示右側の突条１３３ａより左側の突条１３３ｂのほうが突出量の大きい突条に構成されており、このカード処理機６２の図示左側に設置されているパチンコ遊技機（図示せず）で遊技をせんとする遊技者が間違ってこのカード処理機６２のカード挿入・排出口１３３にカードを挿入する不都合を極力防止できるようにしている。図中１３２はカード挿入ランプであり、カード挿入・排出口１３３にカードが挿入されて所定位置に保持された状態で点灯するものである。
　【００１２】
　挿入時残高表示器１３１によってカード挿入時のカード残額が表示され、玉貸が行なわれて減額更新された後のカードの残金額が打球供給皿５９に設けられている残金額表示器（カード残高表示器）５０により表示される。遊技機本体には打球操作ハンドル１２１が取付部材（ベース）１２１Ａにより着脱可能に取付けられている。打球供給皿５９内にパチンコ玉が払出された状態で遊技者がその打球操作ハンドル１２１を操作すれば、パチンコ玉が１つずつ遊技領域１２０内に打込まれる。遊技領域１２０には、始動入賞口１２５ａ，１２５ｂ，１２５ｃが設けられており、この始動入賞口１２５ａ〜１２５ｃにパチンコ玉が入賞することにより可変表示装置１２３が可変開始される。そして停止時の表示結果が特定の識別情報の組合せ（７７７）となれば大当りとなり可変入賞球装置１２４が開成してパチンコ玉が入賞しやすい第１の状態となる。始動入賞口１２５ａにパチンコ玉が入賞すると１個の入賞につきｎ個（たとえば７個）の景品玉が打球供給皿５９に払出される。始動入賞口１２５ｂ，１２５ｃ内にパチンコ玉が入賞すると１個の入賞につきｍ個（たとえば１０個）の景品玉が打球供給皿５９内に払出される。さらに、遊技領域１２０内に設けられている通常の入賞口や可変入賞球装置１２４内にパチンコ玉が入賞すると１個の入賞につきＫ個（たとえば１５個）の景品玉が打球供給皿５９内に払出される。これらの景品玉の払出の最中に払出ランプ１２６が点灯または点滅表示される。
　【００１３】
　この玉貯留皿１９内に払出される景品玉は後述する玉タンク１５１（図２参照）内に貯留されているのであり、この玉タンク１５１内の貯留玉がなくなればタンク玉センサ１５０が玉を検出しなくなり、その時点で玉切れ表示器１２７が点灯または点滅表示して貯留玉がなくなったことを表示する。打球供給皿５９が景品玉で満杯となりそれ以上貯留できなくなった余剰玉は余剰玉貯留皿１２２内に払出される。この余剰玉貯留皿１２２は遊技機本体に対し着脱可能に設けられており、この余剰玉貯留皿１２２も満杯になった場合に、それ以降払出すべき景品玉が生じたときにその景品玉の個数またはその景品玉に相当する金額等を記憶して表示するクレジット得点表示器を打球供給皿５９に設けてもよい。つまり、本実施例では、後述するように１個の入賞玉に基づく景品玉の払出制御が終了した後さらに次の入賞玉に基づく景品玉の払出制御を行なうという入賞玉１個宛処理を行なっており、前記余剰玉貯留皿１２２が満杯になった以降において、入賞玉に基づいて払出すべき景品玉が存在するときにはその入賞玉に基づいて払出すべき景品玉の個数またその景品玉に相当する金額等を加算記憶し、その加算記憶が終了した後次の入賞玉に基づく加算記憶を行ない、その加算記憶された記憶値をクレジット得点表示器により表示させてもよい。その場合には、玉貯留皿５９や余剰玉貯留皿１２２内のパチンコ玉が少なくなった後においてこのクレジット得点表示器に表示されている得点分の景品玉を払出す。残金額表示器（カード残高表示器）５０，挿入時残額表示器１３１は７セグメント表示器で構成しているが、その代わりに、複数の発光ダイオードを貸玉額や１００円単位に対応させて設けてもよい。また、残金額表示器（カード残高表示器）５０により貸玉額を表示してもよく、さらに別の表示器を設けてそれに貸玉額を表示したり貸玉額が印刷されたシールを張りつけたりしてもよい。図中１５はスピーカであり、大当り時の効果音等が発せられる。なお、図中６１Ａは枠ランプであり、前枠６１に対し着脱可能に取付けられている。
　【００１４】
　図２は、カード処理機およびパチンコ遊技機の一部内部構造を示す背面図である。
　【００１５】
　カード処理機６２のカード処理機制御部１３５に接続されている配線がパチンコ遊技機６０に設けられている中継端子基板１３８にコネクタ１３９により接続され、カード処理機制御部１３５と中継端子基板１３８とが配線により互いに情報の送受信ができるようになっている。またこの中継端子基板１３８には、払出制御基板ボックス１４５内に収納されている払出制御基板，ゲーム制御基板ボックス１４８内に収納されているゲーム制御基板，遊技機用ターミナルボックス１４９，投受光器制御基板７０が、それぞれコネクタ１４１，１４４，１４３，１４２を介して接続される。さらに、打球供給皿５９に設けられている前述した各種表示器や各種操作ボタンのスイッチがコネクタ１４０を介して中継端子基板１３８に接続されている。なお、カード処理機制御部１３５と打球供給皿５９に設けられている各種表示器や各種操作ボタンのスイッチならびに払出制御基板ボックス１４５内の払出制御基板とを中継端子基板１３８を介することなく直接配線により接続し、払出制御基板と投受光器制御基板７０とを中継端子基板１３８を介して接続するようにしてもよい。
　【００１６】
　カード処理機６２の裏面側には、１回の玉貸操作により払出される貸玉額を予め入力設定するための貸玉額設定スイッチ１３７が設けられており、図示するように、１００円，２００円，３００円，４００円，５００円の５種類の金額が入力設定できるようになっている。たとえば遊技場の係員により図示のように貸玉額が３００円に設定されればその３００円が貸玉額としてカード処理機制御部１３５のマイクロコンピュータ３００（図１９参照）に記憶される。そして、遊技者がカードをカード挿入・排出口１３３に挿入し、玉貸ボタン４４ｃを押圧操作することにより自動的にこの貸玉額（３００円）分のパチンコ玉が打球供給皿５９内に払出されカード残額から減額されることになる。カード処理機６２の裏面側には、端数表示スイッチ１３６が設けられている。この端数表示スイッチ１３６は、残金額表示器（カード残高表示器）５０により表示される挿入カードの現時点における残額に１００円未満の端数が生じた場合に表示桁を切換えることによりその１００円未満の端数を表示させるためのものである。つまり、貸玉レートが変更されて貸出されるパチンコ玉の金銭等価価値が変わったこと等に起因して１００円未満のカード残額が生ずる場合にこの端数表示スイッチ１３６を切換えると、まず１万円単位の残額がある場合には端数を切り捨てて残金額表示器（カード残高表示器）５０により点滅表示され、１万円単位の残額がなくなった時点で自動的に表示器が切換わり１００円未満の端数まで点灯表示される。図中１３４はカードリーダライタおよびその制御回路を含むカードリーダライタ制御部、１３１は挿入時残額表示器である。
　【００１７】
払出制御基板ボックス１４５には、エラー原因表示器１４６が設けられており、玉払出器６３によるパチンコ玉の払出に異常が生じた場合のその異常原因の種類を表示できるように構成されている。そして発生した異常を遊技場の係員が修復した場合にはリセットボタン１４７を操作し、玉払出制御用のプログラムをリセットする。このエラー原因表示器１４６を払出制御基板ボックス１４５に設ける代わりに、エラー原因を玉貯留皿５９に設けられている残金額表示器（カード残高表示器）５０により表示したり、遊技機前面側に別途エラー原因表示器を設けたり、原因によって払出ランプ１２６の点滅態様を変えることにより対応させたり、あるいは、ホール用管理コンピュータで表示したりしてもよい。前記玉払出器６３と払出制御基板ボックス１４５内の払出制御基板とにより本発明の玉払出装置が構成される。
　【００１８】
　遊技領域１２０内に打込まれたパチンコ玉が始動入賞口１２５ａ，１２５ｂ，１２５ｃ（図１参照）に入賞すれば、その入賞玉が始動入賞玉検出スイッチ１２８ａ，１２８ｂ，１２８ｃにより検出され、その検出信号に基づいてゲーム制御基板ボックス１４８内のゲーム制御基板が可変表示装置１２３（図１参照）の可変制御を行なう。この始動入賞玉検出スイッチ１２８ａの検出信号はゲーム制御基板のゲーム制御用マイクロコンピュータ３７０を介して払出制御基板の払出制御用マイクロコンピュータ３５０（図２０参照）に入力され後述する制御に用いられる。これら始動入賞玉検出スイッチ１２５ａ，１２５ｂ，１２５ｃより検出された入賞玉は入賞玉処理機構４４５における入賞玉センサＡ（１７０ａ）に導かれてその入賞玉センサＡ（１７０ａ）により検出される。図中１７１ａ，１７１ｂは払出ソレノイドであり、景品玉の払出処理が終わった入賞玉を１個ずつ下方に落下させるためのものである。図１に示す中央の始動入賞口１２５ａにパチンコ玉が入賞すればその入賞玉１個につきｎ個（たとえば７個）の景品玉が払出され、左右に設けられている始動入賞口１２５ｂ，１２５ｃのいずれかにパチンコ玉が入賞すればその入賞玉１個につきｍ個（たとえば１０個）の景品玉が払出される。一方、始動入賞口１２５ａ，１２５ｂ，１２５ｃ以外の通常の入賞口や可変入賞球装置１２４内に入賞したパチンコ玉は入賞玉センサＢ（１７０ｂ）に導かれてその入賞玉センサＢ（１７０ｂ）により検出され、その入賞玉１個につきｋ個（たとえば１５個）の景品玉が打球供給皿５９に払出される。入賞玉１個につき払出すべき景品玉の個数（ｎ，ｍ，ｋ）が払出制御基板の払出制御用マイクロコンピュータ３５０に固定情報として記憶されている。なお、この入賞玉１個につき払出すべき景品玉の個数を投受光器制御基板７０の方に固定情報として記憶させておき、電源投入時等にその払出個数情報を払出制御用マイクロコンピュータ３５０の方に送信して記憶させてもよい。このようにすると、景品玉の払出個数の異なる他の機種のパチンコ遊技機に対しても、玉払出器６３をその機種に合った払出個数が記憶された投受光器制御基板７０を有する玉払出装置に取替えるだけで対応できる利点がある。
　【００１９】
　玉払出器６３から払出されたパチンコ玉により打球供給皿５９が満杯となりそれ以上貯留できなくなった余剰玉は余剰玉受皿１２２内に排出されるのであるが、その余剰玉受皿１２２も満杯になれば満タン検出スイッチ１６２により満タンになったことが検出され、玉の払出が停止制御される。
　【００２０】
　玉払出器６３によって払出されるパチンコ玉は玉タンク１５１内に貯留されている。この玉タンク１５１内の貯留玉を玉払出器６３に導くタンクレール途中にタンク玉センサ１５０が設けられており、このタンク玉センサ１５０により玉タンク１５１内の貯留玉がなくなったことが検出され、その検出信号が遊技機用ターミナルボックス１４９，中継端子基板１３８を介して払出制御基板ボックス１４５内の払出制御基板に入力される。このタンク玉センサ１５０が玉を検出しなくなった時点で玉切れ表示器１２７を点灯表示させるとともに、後述するように玉貸しによるパチンコ玉の払出動作のみが不能動化される（図２３のＳ５２参照）。玉タンク１５１には、島に設けられる補給樋１５２からパチンコ玉が補給玉検出器を含む補給装置１５３を介して供給される。この玉タンク１５１に供給される供給玉が補給装置１５３の補給玉検出器により検出されるのであり、所定個数ａ（たとえば１０個）のパチンコ玉が供給されたことを検出して１パルスの検出信号がこの補給玉検出器から出力される。その出力信号はコネクタ１５４に伝達される。カード処理機６２からの玉貸要求信号を受けて玉タンク１５１内のパチンコ玉を打球供給皿５９に払出すのではなく、遊技者が玉貸機から購入してきた貸玉を打球供給皿５９内に投入して遊技を行なう従来から一般的なパチンコ遊技機の場合には、コネクタ１５４とホール用管理コンピュータに接続されているコネクタ１５５とを接続し、補給玉検出器からの検出信号をホール用管理コンピュータに送信し、ホール用管理コンピュータではその送信されてきた検出信号に基づいて遊技場にとって不利益となる不利益球数を集計する。ところが、本実施例のように、カード処理機６２からの玉貸要求信号に基づいて玉タンク１５１内の貯留玉の一部を打球供給皿５９内に払出す方式のパチンコ遊技機においては、その遊技場にとって何ら不利益球数とはならない貸玉の補給樋１５２から玉タンク１５１に供給されることになり、その供給された貸玉が補給玉検出器により検出されてしまって不利益球数情報としてホール用管理コンピュータに入力されてしまい、ホール用管理コンピュータで正確な不利益球数を集計できない不都合が生ずる。そこで、本実施例のパチンコ遊技機においては、ホール用管理コンピュータに接続されているコネクタ１５５を補給装置１５３の補給玉検出器に接続されるコネクタ１５４から外して遊技機用ターミナルボックス１４９に接続されているコネクタ１５６に接続する。そして、パチンコ玉の入賞に基づいて払出される景品玉が所定個数ａ（たとえば１０個）に達するごとに払出制御基板から所定のパルス信号を出力しその所定のパルス信号が遊技機用ターミナルボックス１４９，コネクタ１５６，コネクタ１５５を介してホール用管理コンピュータに伝送されるように構成されている。このように構成することにより、パチンコ玉の貸出に関しては何ら不利益球数情報としてのパルス信号がホール用管理コンピュータに出力されることなく、入賞に伴う景品玉の払出に関してのみパルス信号がホール用管理コンピュータに送信され、ホール用管理コンピュータでは正確な不利益球数情報を集計できる。
　【００２１】
　遊技領域１２０内に打込まれ入賞口に入賞した入賞玉とアウト口に回収されたアウト玉は合流して打込玉タンク１５９に落下し、その打込玉が打込玉検出器（打込球カウンタ）１６０により検出された後島に設けられている集球樋１６１上に落下する。図中１８０は玉抜きソレノイドであり、この玉抜きソレノイドが払出制御基板からの制御信号により励磁されると開閉弁５３３（図１７参照）が開放されて玉タンク１５１内に貯留されているパチンコ玉が玉抜径路１を通って機外に排出される。この開閉弁は手動操作によっても開放可能に構成されている。なお、本実施例では打込玉検出器の出力が従来と同様にホール用管理コンピュータに直接入力されるように構成されているが、打込玉検出器の出力を一旦払出制御基板に入力し、払出異常に基づく玉抜き処理が行なわれていないことを条件として、払出制御基板からホール用管理コンピュータに入力されるように構成してもよい。このようにすれば、正確な利益球数情報を集計することができる。なお、それに代えて玉抜きされたパチンコ玉が打込玉タンクに落下しないように構成してもよい。図中１５８，１５７は遊技機用ターミナルボックス１４９とホール用管理コンピュータとを接続するコネクタであり、後述する単位額売上信号（図２４のＳ９３を参照）がこのコネクタ１５８，１５７を介してホール用管理コンピュータに送信される。
　【００２２】
　図３は、パチンコ遊技機に設けられている前面板の裏面構造を示す構成図である。
　【００２３】
　パチンコ遊技機６０の前面側には、打球供給皿５９（図１参照）が設けられた前面板２が図示左側を回動中心として開閉自在に設けられている。前面板２の裏面側には、打球供給皿５９内のパチンコ玉を１つずつ打球発射位置にまで供給するための打球供給装置４が設けられている。さらに、前面板２の裏面側には、スピーカ１５を取付けるためのスピーカ取付板６、停止スイッチ２０を取付けるためのスイッチ取付板１２、中継基板１０が設けられている。この中継基板１０は、スピーカやスイッチや各種表示器４８ｄ，４６ｄ（図１参照）と中継端子基板１３８（図２参照）との電気的な接続を中継するものである。また、スピーカ取付板６にはスピーカの音量を調節するための音量調節部８が設けられている。なお、図中６２はカード処理機である。
　【００２４】
　図４は、打球供給皿におけるそれぞれ異なった位置の縦断面図である。図４の（ａ）は、図１に示す打球供給皿５９の図示左側におけるスピーカ１５が設けられている部分の縦断面図である。前面板２に設けられている景品玉出口３０から打球貯留部３４にパチンコ玉が払出される。この打球貯留部３４は打球供給皿主部材３２によって構成されている。この打球供給皿主部材３２の下方に打球供給皿補助部材３６が設けられており、この打球供給皿主部材３２と打球供給皿補助部材３６とによりスピーカを収納可能な空間部が形成されている。その空間部内にスピーカ１５がスピーカカバー１６を介して取付けられている。なお図中１７は音抜き用のスリットが形成されたスピーカ前面カバーである。
　【００２５】
　図４の（ｂ）は、図１に示した返却可ＬＥＤ４６ｄが設けられた打球供給皿５９の中央部分の縦断面図である。打球供給皿主部材３２で形成されている打球貯留部３４は（ｂ）に示すように幅が狭くなり、打球貯留部３４に貯留されているパチンコ玉を１列に整列させながら打球供給装置４４（図３参照）によるパチンコ玉の打球発射位置への供給が容易に行なえるように構成されている。打球供給皿補助部材３６の上方部分には、返却ボタン４２ｃと返却可ＬＥＤカバー４６ｃとが設けられている。返却ボタン４２ｃを押圧操作することによりこの返却ボタン４２ｃが押込まれて返却スイッチ（返却操作検出器）４２ｄがＯＮになる。返却可ＬＥＤカバー４６ｃの内側には返却可ＬＥＤ（返却可表示器）４６ｄが設けられており、この返却可ＬＥＤ（返却可表示器）４６ｄの点灯状態が遊技者に視認できるように構成されている。なお、図１に示す玉貸可ＬＥＤ４８ｄが設けられている位置の打球供給皿５９の縦断面図は図４の（ｂ）と同じ構造となる。すなわち、構造的には図４の（ｂ）と同じであり、返却ボタン４２ｃが貸玉ボタン４４ｃとなり、返却スイッチ（返却操作検出器）４２ｄが玉貸スイッチ（玉貸操作検出器）４４ｄとなり、返却可ＬＥＤカバー４６ｃが玉貸可ＬＥＤカバー４８ｃとなり、返却可ＬＥＤ（返却可表示器）４６ｄが玉貸可ＬＥＤ（玉貸可表示器）４８ｄとなる。
　【００２６】
　図４の（ｃ）は、図１に示す残金額表示器５０が設けられている位置の打球供給皿５９の縦断面図である。打球供給皿補助部材３６の上半分は透明装飾部材３８により構成されており、その透明装飾部材３８の外側をさらに透明装飾部材４０で覆っている。透明装飾部材３８の内側には残金額表示器（カード残高表示器）５０が設けられている。そしてこの残金額表示器（カード残高表示器）５０によって表示されるカード残高を透明装飾部材３８，４０を介して遊技者が視認できるように構成されている。
　【００２７】
　図５は、前面板の裏面側の要部を示す分解斜視図である。
　前面板２における図示右側端縁部分には、支軸孔２６が形成されている。この支軸孔２６にパチンコ遊技機６０側に設けられている支軸ピンが挿入され、さらに、支軸ピン２２を付勢スプリング２４に抗して上方に一旦引き上げてこの支軸ピン２２をパチンコ遊技機６０側に設けられている支軸ピン挿入孔に差込むことにより、前面板２が遊技機本体に対し回動自在に取付けられる。なお、前面板２を遊技機本体から取外す場合には、支軸ピン２２を付勢スプリング２４に抗して引き上げることにより遊技機本体側に設けられている支軸ピン２２の挿入孔から支軸ピン２２を抜取り、その状態で支軸孔２６に上方から挿入されている支軸ピンを前面板２を下方に下げることにより抜取り、前面板２を取外す。また、中継基板１０はコネクタ２８によりコネクタ１４０（図２参照）に接続されている配線と接続可能であり、このコネクタ２８を引抜くことにより打球供給皿５９とともに前面板２を完全に遊技機本体から取外して変換することが可能となる。この中継基板１０とスイッチ取付板１２に取付けられている停止スイッチ２０とが電気配線により接続されており、さらに、中継基板１０と返却スイッチ（返却操作検出器）４２ｄ，玉貸スイッチ（玉貸操作検出器）４４ｄ，返却可ＬＥＤ（返却可表示器）４６ｄ，玉貸可ＬＥＤ（玉貸可表示器）４８ｄ，残金額表示器（カード残高表示器）５０とが電気配線により接続されている。
　【００２８】
　前面板２の裏面側には開口１８が形成されており、スピーカ取付板６に取付けられているスピーカカバー１６をこの開口１８から挿入した状態でスピーカ取付板６を前面板２の裏面側にビス等により取付固定する。なおこのスピーカカバー１６内にはスピーカ１５が設けられている。さらに、このスピーカ取付板６には、音量調節器１４が設けられており、前面板２を開放した状態でスピーカ取付板６の裏面側に覗いている音量調節部８を遊技場の係員が調整することによりスピーカの音量が調整される。
　【００２９】
　図６は、前面板の正面側の要部を示す分解斜視図である。
　前面板２の前面側には、打球貯留部３４を形成している打球供給皿主部材３２と打球供給皿補助部材３６とが取付けられる。さらに前面板２の裏面側には前述したようにスピーカカバー１６と音量調節器１４とが設けられているスピーカ取付板６が取付けられる。この前面板２の図示左上には、景品玉を打球貯留部３４に排出するための景品玉出口３０が形成されている。さらに、前面板２には、打球供給装置４（図３参照）を取付けるための打球供給装置取付開口５６，スピーカカバー１６を挿入するための開口１８，玉抜きレバー５２，玉抜き弁連動部材挿通口５８，玉抜き口５４が形成されている。玉抜きレバー５２を遊技者がスライド操作することにより、その玉抜きレバー５２の動きに連動して玉抜き弁連動部材挿通口５８に挿通されている玉抜き弁連動部材が動き、その動きに連動して打球貯留部３４に設けられている玉抜き弁が開き、打球貯留部３４上のパチンコ玉が玉抜き口５４を通って余剰玉受皿１２２内に抜取られる。なお図中２６は支軸孔であり、２２は支軸ピンである。
　【００３０】
　打球供給皿補助部材３６には、図示するように、残金額表示器（カード残高表示器）５０，玉貸スイッチ（玉貸操作検出器）４４ｄ，返却スイッチ（返却操作検出器）４２ｄ，返却可ＬＥＤ（返却可表示器）４６ｄ，玉貸可ＬＥＤ（玉貸可表示器）４８ｄが取付けられている。さらに、打球供給皿補助部材３６に取付けられたこれらの各種表示器や検出スイッチが透明装飾部材３８，４０によりカバーされる。この透明装飾部材３８，４０には、それぞれ対応する位置にＬＥＤカバー取付開口４６ａ，４６ｂ、ＬＥＤカバー取付開口４８ａ，４８ｂが設けられており、これらの開口に、返却可ＬＥＤカバー４６ｃ，返却ボタン４２ｃ，玉貸可ＬＥＤカバー４８ｃ，玉貸ボタン４４ｃが設けられる。そして、組付け状態では、返却可ＬＥＤ（返却可表示器）４６ｄが返却可ＬＥＤカバー４６ｃを介して遊技者が視認でき、玉貸可ＬＥＤ（玉貸可表示器）４８ｄが玉貸可ＬＥＤカバー４８ｃを介して遊技者が視認できる状態となり、返却ボタン４２ｃを押圧操作することにより返却スイッチ（返却操作検出器）４２ｄがＯＮになり、玉貸ボタン４４ｃを押圧操作することにより玉貸スイッチ（玉貸操作検出器）４４ｄがＯＮになる。
　【００３１】
　図６に示した打球供給皿補助部材３６に設けられている種々のスイッチや表示器が図５に示したコネクタ１４０を介して中継端子基板１３８に接続されるのである。打球供給皿５９が設けられている前面板２により、遊技機本体に対し交換可能に取付けられる取付部材が構成される。この取付部材は、打球供給皿５９に限らず、余剰玉貯留皿１２２，打球操作ハンドル１２１の遊技機本体への取付部（ベース）１２１Ａ，枠ランプ６１Ａの取付部分，遊技盤等で構成してもよく、遊技機本体に対し交換可能な部材であれば何でもよい。前記残金額表示器（カード残高表示器）５０，玉貸ボタン４４ｃ，玉貸スイッチ（玉貸操作検出器）４４ｄ，返却スイッチ（返却操作検出器）４２ｄ，返却ボタン４２ｃ，返却可ＬＥＤ（返却可表示器）４６ｄ，玉貸可ＬＥＤ（玉貸可表示器）４８ｄにより、所定の記録媒体の記録情報によって特定される有価価値を使用して遊技機による遊技を行なうための記録媒体対応用機器が構成される。なお、前記前面板２にこの記録媒体対応用機器の全部または一部を直接取付けてもよい。また、記録媒体対応用機器を複数の取付部材（たとえば前面板と余剰玉貯留皿等）に分散させて取付けてもよく、さらに、記録媒体対応用機器の一部をカード処理機に設けてもよい。
　【００３２】
　この記録媒体対応用機器を前述した打球供給皿５９に取付ければ、遊技者の手元に近いために玉貸スイッチ等のスイッチ類の操作が行ないやすく、また、カード処理機６２等に取付けた場合に比べて遊技者が視線を大幅に横方向に移動させることがなく前記残金額表示器等の表示器類を視認でき、表示器類を楽に視認できる。また、従来の打球供給皿が設けられている前面板２を遊技機本体から取外して前記記録媒体対応用機器が設けられた記録媒体対応型の打球供給皿に設けられている前面板２に交換することにより、記録媒体対応用機器の遊技機本体への装備が可能となるために、前面枠６１等を改造する必要がなく、遊技機を遊技場に設置したままで従来方式の遊技機を極力有効利用しながら記録媒体対応型遊技機に改造することができる。
　【００３３】
　図７は、図２に示した入賞玉センサＡ（１７０ａ），Ｂ（１７０ｂ）に導かれるパチンコ玉の誘導径路を示す縦断面図である。
　【００３４】
　遊技領域１２０を形成している遊技板８１には、第１の入賞玉集合樋４５と第２の入賞玉集合樋４７とからなる入賞玉樋が２段に積層して形成されている。そして、始動入賞口１２５ａ，１２５ｂ，１２５ｃに入賞した入賞玉は第２の入賞玉集合樋４７に導かれて入賞玉センサＡ（１７０ａ）により検出される。一方、通常の入賞口や可変入賞球装置１２４内に入賞したパチンコ玉は、第１の入賞玉集合樋４５に導かれて入賞玉センサＢ（１７０ｂ）により検出される。
　【００３５】
　図８は、入賞玉処理機構４４５の構造および作用を説明するための断面図である。入賞玉センサＡ（１７０ａ），Ｂ（１７０ｂ）のそれぞれの脇には、排出ソレノイドＡ（１７１ａ），Ｂ（１７１ｂ）で揺動される揺動体２９ａ，２９ｂが設けられている。この揺動体２９ａ，２９ｂは、支軸３１ａ，３１ｂにより回動自在に取付けられており、それぞれにウエート３３ａ，３３ｂが設けられている。そして排出ソレノイドＢ（１７１ｂ）が図示のように励磁が解除されている状態では、ウエート３３ｂの自重により揺動体２９ｂが図示時計回り方向に回動している。その状態では、排出ソレノイドＢ（１７１ｂ）のアクチュエータ２５ｂが第１の入賞玉集合樋４５内に入込んだ状態となり、その入込んだアクチュエータ２５ｂにより入賞玉が入賞玉センサＢ（１７０ｂ）内で停止された状態となる。そして排出ソレノイドが励磁されると、図示左側の排出ソレノイドＡ（１７１ａ）のように、アクチュエータ２５ａが引寄せられて第２の入賞玉集合樋４７から退避した状態となるとともに、揺動体２９ａがアクチュエータ２５ａにより押上げられて図示時計回り方向に回動してその上方端から第１の入賞玉集合樋４７内に入り込む。そしてアクチュエータ２５ａにより支えられていた入賞玉が下方に落下するとともにその上方に位置する入賞玉が揺動体２９ａの上方端により支えられて保持される。以上のように、排出ソレノイドが１回励磁される毎に入賞玉が１個玉抜き径路１内に排出されて機外に排出される。
　【００３６】
　そして、第１の入賞玉集合樋４７に導かれた入賞玉が入賞玉センサＡ（１７０ａ）により検出されれば所定個数の景品玉が払出され、その払出が完了した段階で排出ソレノイドＡ（１７１ａ）を１回励磁して解除する。そして、次の入賞玉が第１の入賞玉集合樋４７に存在すれば再度入賞玉センサＡ（１７０ａ）により検出されて、前述と同様に所定個数の景品玉が払出される。また、第２の入賞玉集合樋４５に導かれた入賞玉は入賞玉センサＢ（１７０ｂ）により検出され、所定個数ｋ個（たとえば１５個）の景品玉が払出され、排出ソレノイドＢ（１７０ｂ）が励磁されて次の入賞玉があれば再度所定個数ｋ個の景品玉の払出が行なわれる。以上のように、入賞玉が連続して発生したとしても、揺動体２９ａ，２９ｂにより、景品玉の払出が終了した入賞玉だけ流下して未だに景品玉の払出が終了していない入賞玉については流下が阻止されて第１，第２の入賞玉集合樋４７，４５内に証拠玉として貯留された状態となるために、景品玉の払出個数をめぐるトラブルを防止できる利点がある。なお、証拠玉を貯留する代わりにマイクロコンピュータ等で入賞個数等を記憶しておき、その記憶値に基づいて払出制御を行なうようにしてもよい。その場合には、バツクアップ電源を利用して記憶値が停電等で消去されないようにすることが望ましい。
　【００３７】
　なお、排出ソレノイドＡ（１７１ａ），Ｂ（１７１ｂ）が故障して励磁不能状態になれば、アクチュエータ２５ａまたは２５ｂが第１の入賞玉集合樋４７や第２の入賞玉集合樋４５に入込んだままの状態となるため、排出ソレノイド励磁指令信号が導出されたにもかかわらず、パチンコ玉が入賞玉センサＡ（１７０ａ）または入賞玉センサＢ（１７０ｂ）の内部で停止して入賞玉検出信号が継続して導出される状態となるのであり、この入賞玉センサの連続したＯＮ状態を検出して排出ソレノイドＡ（１７１ａ）またはＢ（１７１ｂ）が故障した旨の判定を行なって異常状態の報知を行うように構成されている。なお、入賞玉センサＡ（１７０ａ），Ｂ（１７０ｂ）はパチンコ玉の通過に伴って出力信号が所定の電圧から変化するいわゆる近接スイッチにより構成されているのであるが、この入賞玉検出センサＡ（１７０ａ），センサＢ（１７０ｂ）が断線した場合には出力信号の電圧が０Ｖとなるために、その０Ｖになった旨を検出して入賞玉センサＡ（１７０ａ），Ｂ（１７０ｂ）が断線した旨の判定を行ない報知をしてもよい。また、この入賞玉センサＡ（１７０ａ），Ｂ（１７０ｂ）がショートした場合には出力電圧が正常な電圧を超えた異常な電圧となってしまうのであり、その異常電圧を検出してショートした旨の判定を行ない、その旨の報知を行なうようにしてもよい。
　【００３８】
　図９（ａ），（ｂ），図１０は、玉払出器６３の内部構造を説明するための断面図である。
　【００３９】
　玉払出器６３には、景品玉を２列に整列させながら流下させるタンクレール６７（図２参照）からの景品玉を受入れる玉通過口６４ａ，６４ｂが形成されており、その玉通過口６４ａ，６４ｂにそのストッパ係止部７８が一部入込んだ払出スプロケット７４が設けられている。さらに、この払出スプロケット７４をロック状態およびロック解除状態に切換るための払出ソレノイド２２３が設けられており、払出ソレノイド２２３が励磁されることによりアクチュエータ２３２が図９における左方向に引寄せられてアクチュエータ２３２によるストッパ係止部７８の係止が解除されて払出スプロケット７４が回転可能な状態となる。この払出ソレノイド２２３，アクチュエータ２３２，ストッパ係止部７８，払出スプロケット７４により玉払出機構が構成されている。
　【００４０】
　この状態で、玉通過口６４ａ，６４ｂ内のパチンコ玉の自重により払出スプロケット７４が図示時計回り方向に回転する。そして払出スプロケット７４があるストッパ係止部７８からその次の隣のストツパ係止部７８までの回転角度だけ回転した状態でパチンコ玉が１個払出されるとともに、払出ソレノイド２２３の励磁が解除されて再びアクチュエータ２３２によるストッパ係止部７８の係止が行なわれて払出スプロケット７４が再度ロック状態となる。この払出スプロケット７４には、図１４の斜視図にも示すように、複数の玉載置部７６ａ，７６ｂが形成されており、一方の玉載置部７６ａにより玉通過口６４ａ内のパチンコ玉を保持し（図９の（ａ）参照）、他方の玉載置部７６ｂにより、玉通過口６４ｂ内のパチンコ玉を保持（図９の（ｂ）参照）できるように構成されている。
　この玉払出器６３には、投受光器制御基板７０が設けられているとともに、その投受光器制御基板７０によって制御される受光素子６８ａ〜６８ｄと投光素子６７ａ〜６７ｄ（図１０参照）が設けられている。投光素子６７ａと受光素子６８ａとにより、玉通過口６４ａ内のパチンコ玉が存在するか否かの確認が行なわれるのであり、この受光素子６８ａにより玉通過口６４ａ内のパチンコ玉の存否を確認するための玉確認センサＡが構成されている。一方、投光素子６７ｂと受光素子６８ｂとにより、玉通過口６４ｂ内のパチンコ玉が存在するか否かの確認が行なわれるのであり、この受光素子６８ｂにより玉通過口６４ｂ内のパチンコ玉の存否を確認するための玉確認センサＢが構成されている。さらに、投光素子６７ｃと受光素子６８ｃとにより、玉通過口６４ａ内のパチンコ玉のうち前記玉払出機構によって払出されたパチンコ玉が計数されるのであり、この受光素子６８ｃにより玉通過口６４ａ内のパチンコ玉のうち前記玉払出機構によって払出されたパチンコ玉を計数するための玉計数センサＡが構成される。一方、投光素子６７ａと受光素子６８ｄとにおいて、玉通過口６４ｂ内のパチンコ玉であって前記玉払出機構に玉通過口されたパチンコ玉が計数されるのであり、この受光素子６８ｄにより、玉通過口６４ｂ内のパチンコ玉であって前記玉払出機構によって払出されたパチンコ玉を計数するための玉計数センサＢが構成される。
　【００４１】
　そして、前記投光素子６７ａ，６７ｂと受光素子６８ａ，６８ｂとにより、前記玉払出機構により払出すべき遊技玉の有無を検出するための第１の玉検出手段が構成されている。また、前記投光素子６７ｃ，６７ｄと受光素子６８ｃ，６８ｄとにより、前記玉払出機構により払出された遊技玉を検出する第２の玉検出手段が構成されている。なお、少なくとも投光素子６７ａ，６７ｂと受光素子６８ａ，６８ｂは、図９にも示すように、玉通過口６４ａ，６４ｂのセンターラインよりも図示右側に偏った位置に設けられており、玉の通過に伴って、繋がって流下する玉の区切り目をねらって確実に１個ずつ検出し得るように構成されている。また、図１０に示すように、投光素子６７ａ，６７ｂ，６７ｃ，６７ｄ同士が中央に配設されて隣接する投光素子同士が逆向きに配設され、受光素子６８ａ，６８ｂ，６８ｃ，６８ｄのほうが玉通過口６４ａ，６４ｂを挟んで左右に分散して配列されているために、投光素子からの投光が隣接した受光素子における隣の受光素子に誤って受光される不都合を防止し得る。また、図１０に示した投光素子６７ａ〜６７ｄが配設された位置に投光素子の代わりに受光素子６８ａ〜６８ｄをそれぞれ配設しても同じ利点を有する。
　【００４２】
　図１１および図１２は玉払出器６３による遊技玉の払出動作を説明するための動作説明図である。払出スプロケット７４が図９に示した状態から隣接するストッパ係止部７８に相当する回転角度（以下１ピッチ角度という）だけ回転した状態が図１１に示されている。図１１の（ａ）は玉通過口６４ａ内のパチンコ玉の状態を示し、（ｂ）は玉通過口６４ｂ内のパチンコ玉の状態を示している。図１１（ａ）で示すように、玉通過口６４ａのほうは、払出スプロケット７４のストッパ係止部７８と傾斜部４４４ａとの間隔ｔ１が比較的広いために、払出スプロケット７４が図９の状態から１ピッチ角度分回転して図１１の状態になった段階で玉通過口６４ａ内のパチンコ玉が１個下方に払出される。
　【００４３】
　一方、玉通過口６４ｂのほうは、図１１の（ｂ）で示すように、ストッパ係止部７８と傾斜部４４４ｂとの間隔ｔ２が比較的狭いために、払出スプロケット７４が図９の状態から１ピッチ角度分回転したとしても、図示するように未だに払出スプロケット７４によりパチンコ玉が保持された状態であり、この状態ではパチンコ玉が払出されない。
　【００４４】
　払出スプロケット７４が図１１に示す状態からさらに１ピッチ角度だけ回転した状態が図１２に示されている。この状態では、玉通過口６４ａ内のパチンコ玉は（ａ）に示すように払出スプロケット７４により係止保持されているために下方に払出されないが、玉通過口６４ｂ内のパチンコ玉は（ｂ）に示すように下方に払出される。そして、払出スプロケット７４の回転によって下方に払出されたパチンコ玉は図示するように玉計数センサＡ（６８ｃ），玉計数センサＢ（６８ｄ）によって検出される。このようにして、払出スプロケット７４が１ピッチ角度だけ回転することにより玉通過口６４ａ，６４ｂのいずれかから交互にパチンコ玉が１個ずつ排出される。
　【００４５】
　図１３は、玉払出器６３の内部構造を説明するための分解斜視図である。
　玉払出器６３は、主に、組付ベース１０７と後方ベース１０６と中間ベース１０５と払出ソレノイド２２３と投受光器制御基板７０とからなり、それらの部品が組立てられた状態で組付カバー体１０２内に収納される。図中１１０，１１１は、組立てられた玉払出装置６３を組付カバー体１０２内に収納して組付カバー体１０２に固定するための取付ビスである。
　【００４６】
　組付ベース１０７には、玉通過口６４ａとソレノイド取付空間１１２と支軸１０９などが設けられている。また、支軸１０９が払出スプロケット７４の軸穴２１４に挿入された状態で払出スプロケット７４が支軸１０９に回転自在に外嵌される。この払出スプロケット７４は、複数のストッパ係止部７８と複数の通過玉載置部７６ａ，７６ｂが形成されている。なお図中２１６は空部である。さらに、組付ベース１０７には、投受光器制御基板７０を取付けるための基板取付部１１３ａと玉払出器６３の一方の側面となる外壁１０８とを有する。さらにこの基板取付部１１３ａには、カバー挿入口９７，９８が設けられており、投光素子や受光素子を収納するための透明のセンサカバー８８，８９がこのカバー挿入口９７，９８に挿入されて保持されるように構成されている。
　【００４７】
　前記払出ソレノイド２２３には、引張バネ９６が設けられており、この引張バネ９６の復元力によりストッパ板２３２が組立状態における払出スプロケット７４側に押しつけられ、払出ソレノイド２２３の励磁によってその引張バネ９６の復元力に抗してストッパ板２３２が払出スプロケット７４から遠ざかる方向に引寄せられる。
　【００４８】
　このストッパ板２３２の下方端にはストッパ２３４が形成されており、払出ソレノイド２２３の励磁が解除されている状態でこのストッパ２３４が払出スプロケット７４のストッパ係止部７８に係止され、払出ソレノイド２２３が励磁されたことに伴ってストッパ板２３２が引寄せられてストッパ２３４のストッパ係止部７８への係止が解除される。この払出ソレノイド２２３のソレノイド取付板６６には、取付板部２２０が設けられており、ソレノイド取付空間１１２の取付部２２２にこの取付板部２２０を当接させた状態でビスにより払出ソレノイド２２３を組付ベース１０７に取付ける。
　【００４９】
　中間ベース１０５は、組付ベース１０７の玉通過口６４ａの側面を蓋する状態で組付ベース１０７に固定される。中間ベース１０５には、位置決め凸部２０８ａ，２０８ｂが形成されており、この位置決め凸部２０８ａ，２０８ｂが組付ベース１０７に形成されている位置決め凹部２０６ａ，２０６ｂに嵌合し、中間ベース１０５が組付ベース１０７に位置決め固定される。この組付ベース１０７に固定された状態で、中間ベース１０５に形成されているカバー挿入溝９４と組付ベース１０７に形成されているカバー挿入口９７とにセンサカバー８８を挿入保持させることが可能となる。一方、中間ベース１０５に形成されているカバー挿入溝９５と組付ベース１０７に形成されているカバー挿入口９８にセンサカバー８９を挿入させて保持可能となる。
　【００５０】
　後方ベース１０６には、玉通過口６４ｂが形成されており、この玉通過口６４ｂの側面が前記中間ベース１０５により蓋されるように後方ベース１０６を組付ベース１０７に組付けて固定する。この組付状態で、後方ベース１０６に形成されているカバー挿入口８６と中間ベース１０５に形成されているカバー挿入溝１２０とに透明のセンサカバー１００を挿入して保持可能となる。さらに後方ベース１０６に形成されているカバー挿入口８７と中間ベース１０５に形成されているカバー挿入溝９６とに透明のセンサカバー１０１を挿入して保持可能となる。
　【００５１】
　投受光器制御基板７０には、複数の投光素子（投光器）６７ａ〜６７ｄと複数の受光素子（玉確認センサおよび玉計数センサ）６８ａ〜６８ｄが設けられており、この投受光器制御基板７０を組付ベース１０７と後方ベース１０６との組立状態で形成される基板取付部１１３ａ，１１３ｂの凹部にビス止固定する。投受光器制御基板７０がこのようにビス止固定されることにより、投受光器制御基板７０に設けられている受光素子（玉確認センサＢ）６８ｂがセンサ挿通孔８４に挿入され、受光素子（玉計数センサＢ）６８ｄがセンサ挿通孔８２に挿入され、投光素子（投光器）６７ａ（図１０参照）がセンサ挿通孔８５に挿入され、投光素子（投光器）６７ｄ（図１０参照）がセンサ挿通孔８３に挿入され、投光素子（投光器）６７ａ（図１０参照）がセンサ挿通孔９１に挿入され、受光素子（玉確認センサＡ）６８ａ（図１０参照）がセンサ挿通孔９０に挿入され、投光素子（投光器）６７ｃ（図１０参照）がセンサ挿通孔９３に挿入され、受光素子（玉計数センサＡ）６８ｃがセンサ挿通孔９２に挿入される。このように、各センサ挿通孔に挿入された投受光素子は、玉通過口６４ａ，６４ｂのそれぞれを両脇から挟んだ状態に配置されることになり、投光素子から投光された光が玉通過口６４ａ，６４ｂを横切って受光素子に受光される状態となる。なお、各センサ挿通孔８２〜８５，９０〜９３には、投受光素子に形成されている突起部分が挿入できるようにするための切欠部２１８が形成されている。また図中２５６は配線収納溝であり、７２は中継端子基板１３５と接続するための接続端子である。なお、投受光器制御基板７０には、長期の使用により投受光素子がゴミ等により汚れたりセンサカバー８８，８９，１００，１０１が汚れたりして受光素子の受光量が低下した場合には、その受光素子の感度を適正な値に自動調整したり、または投光素子の投光量を適当な強さに自動調整したりする機能を有する。
　【００５２】
　後方ベース１０６は、図１４に示すように、位置決め凹部２１２ａ，２１２ｂが形成されており、この位置決め凹部２１２ａ，２１２ｂに中間ベース１０５の位置決め凸部２１０ａ，２１０ｂが嵌合され、後方ベース１０６と中間ベース１０５との位置決めが可能となる。
　【００５３】
　組付ベース１０７の上面には嵌合突起２０２ａ，２０２ｂが形成されているとともに、組付ベース１０７の底面には図示されてないが嵌合突起２０３ａ，２０３ｂが形成されている。一方、組付カバー体１０２には、その上面に嵌合開口２００ａ，２００ｂが形成されているとともに、図１５に示すように、その底面にも嵌合開口２０１ａ，２０１ｂが形成されている。さらに、図１５に示すように、組付カバー体１０２には、位置決めピン２５２とソレノイド位置決め部２４８，２５０が形成されている。玉払出器６３を組立てた状態で、組付ベース１０７を組付カバー体１０２に組付るに際し、組付ベース１０７に形成されている位置決め穴２５４に組付カバー体１０２の位置決めピン２５２が挿入されて組付カバー体と組付ベース１０７との両者間での位置決めができる。その状態で組付ベース１０７を組付カバー体１０２内に押込むことにより、ソレノイド位置決め部２４８，２５０により払出ソレノイド２２３が位置決めされるとともに、嵌合突起２０２ａ，２０２ｂが嵌合開口２００ａ，２００ｂに嵌合保持され、かつ、組付ベース１０７側のもう一方の嵌合突起２０３ａ，２０３ｂが組付カバー体１０２側の嵌合開口２０１ａ，２０１ｂに嵌合保持され、組付カバー体１０２への組付が完了する。玉払出器６３の組付カバー体１０２への組付状態で、組付カバー体１０２における玉通過口６４ａ，６４ｂに相当する部分に、玉通過口２０４ａ，２０４ｂが形成されており、この玉通過口２０４ａ，２０４ｂからパチンコ玉が玉通過口６４ａ，６４ｂに進入できるように構成されている。
　【００５４】
　図１６は、払出ソレノイド２２３の構造を説明するための分解斜視図である。払出ソレノイド２２３のコイル２２６は、ソレノイド取付板６６の取付板部２４６にコイル取付部２２４を介して取付られる。また、コイル２２６のピン挿通孔２２８にピン２３０が挿入された状態で取付板部２４６に取付けられる。ソレノイド取付板６６には、保持板部２４０が形成されており、切欠溝２３６がこの保持板部２４０に挿入された状態でストッパ板２３２がソレノイド取付板６６に所定角度揺動できるように取付けられる。
　【００５５】
　ソレノイド取付板６６にはバネ係止片２４４が形成されており、このバネ係止片２４４とソレノイド取付板６６への取付状態におけるストッパ板２３２のバネ係止片２３８との間にわたって引張バネ９６が取付けられる。この状態で、コイル２２６が励磁されることにより、その磁力によって引張バネ９６の復元力に抗してストッパ板２３２がピン２３０側に引寄せられる。このコイル２２６の励磁を解除することにより、引張バネ９６の復元力によりストッパ板２３２がピン２３０から遠ざかる方向に揺動される。その状態で、ストッパ板２３２のストッパ２３４が前述したように払出スプロケット７４のストッパ係止部７８に係止される。一方、コイル２２６が励磁されてストッパ板２３４がピン２３０側に引寄せられることにより、ストッパ板２３４のストッパ係止部７８への係止が解除される。なお、図中２２０は払出ソレノイド２２３を組付ベース１０７側に取付けるための取付板部である。
　【００５６】
　図１７および図１８は、パチンコ玉の玉抜き部分の構造および動作を説明するための要部構成図である。
　【００５７】
　図１７は、玉抜きを行なわない通常時の状態を示し、図１８は玉抜きを開始したときの状態を示している。図中５３１は、図２に示すタンクレール６７の景品玉流下下出側に位置する屈曲樋であり、景品玉が水平方向に２列になって流下できるように構成されている。この屈曲樋５３１の屈曲部分には、開閉面５３３が設けられており、この開閉面５３３が支軸５３４を中心に回動して屈曲樋５３１を開閉できるように構成されている。なお図中５３５はウエイトである。そして、通常時は、付勢スプリング５４１の復元力によって係止片部５３９が図示時計回り方向に付勢されて係止片部５３９が係合部５３６に係合した状態となっているため、開閉面５３３の図示反時計回り方向の回動が阻止されて屈曲樋５３１が閉成された状態となる。
　【００５８】
　一方、前面枠６３０に設けられている図示しない操作穴から図示しない操作ピンを挿入して遊技場の係員が操作することにより作動部材５４４が図１７で示す矢印の方向に押上げられ、その作動部材５４４に連動している押圧杵５４３が上方に押上げられて押圧部５４０が上方に押上げられる。その結果、係合片部５３９が図示反時計回り方向に回動して係合片部５３９と係合部５３６との係合が解除される。すると図１８に示すように、開閉面５３３がタンクレール６７や屈曲樋５３１に存在するパチンコ玉の玉圧により、図示反時計回り方向に回動して屈曲樋５３１が開放されてパチンコ玉が玉抜き口５３２ａから玉抜き径路５８１に抜き取られて機外に排出される。
　【００５９】
　また、玉抜き作動信号によりソレノイド１８０が一定微少時間励磁されることにより、図１８に示すように作動部材５３７が押下げられ、係合片部５３９が図示時計回り方向に回動して係合片部５３９と係合部５３６との係合が解除され、前述と同様にパチンコ玉が玉抜き径路５８１内に抜き取られる。なお、開閉面５３３は作動部材５４４が復帰したり、玉抜きソレノイド１８０の励磁が解除されたとしても、付勢スプリング５４１によって図示時計回り方向に付勢されている係合片部５３９が係合部５３６の下側に入り込むために、開閉面５３３がそのまま開放された姿勢で保持される。そして、玉抜き終了の後、作動部材５４４を再度作動させたり玉抜きソレノイド１８０を再度一定微少時間励磁すると係合片部５３９が係合部５３６の下側から抜き出るためウエイト５３５の作用により開閉面５３３が図示時計回り方向に回動し、図１７に示すように係合片部５３９による係合部５３６への係合が行なわれて開閉面５３３が閉成姿勢で保持される。
　【００６０】
　図１９は、カード処理機制御部の制御回路を示すブロック図である。
　カード処理機制御部１３５（図２参照）にはカード処理機制御用マイクロコンピュータ３００が組込まれている。カード処理機制御用マイクロコンピュータ３００は以下に述べるような各種機器の動作を制御する機能を有する。このため、カード処理機制御用マイクロコンピュータ３００は、たとえば数チップのＬＳＩで構成されており、その中には制御動作を所定の手順で実行することのできるＣＰＵ３０１と、ＣＰＵの動作プログラムデータを格納するＲＯＭ３０２と、必要なデータの書込および読出ができるＲＡＭ３０３とが含まれる。
　【００６１】
　さらに、カード処理機制御用マイクロコンピュータ３００は、入力信号を受けてＣＰＵ３０１に入力データを与えるとともに、ＣＰＵ３０１からの出力データを受けて外部に出力する入出力回路３０４と、電源投入時にＣＰＵ３０１にリセットパルスを与えるパワーオンリセット回路３０５と、ＣＰＵ３０１にクロック信号を与えるクロック発生回路３０６と、クロック発生回路３０６からのクロック信号を分周してリセットパルスを定期的（たとえば２ｍｓｅｃ毎）にＣＰＵ３０１に与えるパルス分周回路（定期リセット回路）３０７と、ＣＰＵ３０１からのアドレスデータをデコードするアドレスデコード回路３０８とが含まれる。
　【００６２】
　アドレスデコード回路３０８はＣＰＵ３０１からのアドレスデータをデコードし、ＲＯＭ３０２，ＲＡＭ３０３，入出力回路３０４にそれぞれチップセレクト信号を与える。
　【００６３】
　なお、この実施例では、ＲＯＭ３０２には、その内容の書換え、すなわち必要が生じた場合には、その中に格納されたＣＰＵ３０１のためのプログラムデータを変更することができるようにプログラマブルＲＯＭが用いられている。そして、ＣＰＵ３０１からこのＲＯＭ３０２内に格納されたプログラムデータに従って、かつ以下に述べる各制御信号の出力に応答して、種々の機器に対して制御信号を与える。
　【００６４】
　カード処理機制御用マイクロコンピュータ３００は、入力信号として、次のような信号が与えられる。
　【００６５】
　遊技場の係員が貸玉額設定スイッチ１３７（図２参照）を操作して貸玉額を設定することにより、その設定信号が検出回路３０９を介してカード処理機制御用マイクロコンピュータ３００に入力される。遊技場の係員が端数表示スイッチ１３６（図２参照）を操作することにより、そのスイッチ操作信号が検出回路３０９を介してカード処理機制御用マイクロコンピュータ３００に入力される。遊技者が貸玉ボタン４４ｃ（図１参照）を押圧操作すれば、その押圧操作が玉貸操作検出器４４ｄにより検出され、その検出信号が中継端子基板１３８，検出回路３０９を介してカード処理機制御用マイクロコンピュータ３００に入力される。遊技者が返却ボタン４２ｃ（図１参照）を押圧操作すれば、その押圧操作が返却操作検出器４２ｄにより検出され、その検出信号が中継端子基板１３８，検出回路３０９を介してカード処理機制御用マイクロコンピュータ３００に入力される。カードリーダライタ制御部１３４（図１，図２参照）から、後述するカード受付信号，カード異常信号，カード処理完了信号が入力される。
　【００６６】
　払出制御用マイクロコンピュータ３５０から中継端子基板１３８，情報入力回路３１２を介して、後述する払出可能信号，玉貸準備信号，貸玉完了信号が入力される。この情報入力回路３１２はフォトカプラが内蔵されており、払出制御用マイクロコンピュータ３５０からの前述した各種信号がフォトカプラを介してカード処理機制御用マイクロコンピュータ３００に入力される。このようにフォトカプラを介して信号が入力されるために、払出制御用マイクロコンピュータ３５０に発生した故障による悪影響がカード処理機制御用マイクロコンピュータ３００にまで及ばないために、払出制御用マイクロコンピュータ３５０の故障に起因してカード処理機制御用マイクロコンピュータ３００まで故障してしまうという不都合が極力防止できる。
　【００６７】
　次に、カード処理機制御用マイクロコンピュータ３００は以下の回路や機器に対して制御信号を出力する。
　【００６８】
　ＬＥＤ駆動回路３１０，中継端子基板１３８を介して、玉貸可表示器４８ｄ，返却可表示器４６ｄ，カード残高表示器５０（図１参照）にそれぞれ表示用制御信号を出力する。ＬＥＤ駆動回路３１０を介して挿入時残高表示器１３１（図１参照）に表示用制御信号を与える。ランプ駆動回路３１１を介して、カード挿入表示器１３２，処理器使用可表示器１３０にそれぞれ表示用制御信号を与える。カードリーダライタ制御部１３４（図１，図２参照）に、後述する現在の残高データ，カード書込排出指令信号，残高ゼロデータ，カード回収指令信号を出力する。中継端子基板１３８を介して払出制御用マイクロコンピュータ３５０に、後述する玉貸要求信号を出力する。カード処理機用ターミナルボックス３２０を介して玉貸カード集中管理コンピュータに後述する単位額売上信号を出力する。この玉貸カード集中管理コンピュータは、玉貸カードの発行会社等に設置されている集中管理コンピュータであり、日本全国の各遊技場に設置されているカード処理機６２に対しカード処理機用ターミナルボックス３２０を介して通信回線により接続されている。
　【００６９】
　図２０は、払出制御基板ボックス１４５（図２参照）に収納されている払出制御基板の払出制御回路を示すブロック図である。
　【００７０】
　払出制御回路には払出制御用マイクロコンピュータ３５０が設けられている。この払出制御用マイクロコンピュータ３５０は、図１９のカード処理機制御用マイクロコンピュータ３００と同様に、ＣＰＵ３５１，ＲＯＭ３５２，ＲＡＭ３５３，パワーオンリセット回路３５５，クロック発生回路３５６，パルス分周回路３５７，アドレスデコード回路３５８，入出力回路３５４を含んでおり、ここでは説明の繰返しを省略する。なお、この払出制御用マイクロコンピュータ３５０は、前述した各種回路がワンチップ化されたワンチップマイクロコンピュータで構成されている。
　【００７１】
　払出制御用マイクロコンピュータ３５０には、入力信号として次のような信号が与えられる。
　【００７２】
　遊技場の係員がリセットボタン１４７（図２参照）を押圧することによりリセットスイッチ１４７がＯＮになり検出回路３５９からリセット操作検出信号が払出制御用マイクロコンピュータ３５０に入力される。余剰玉受皿１２２（図１参照）が満杯となり満タンスイッチ１６２（図２参照）がＯＮになればそのＯＮ信号が検出回路３６０を介して払出制御用マイクロコンピュータ３５０に与えられる。玉通過口６４ａ（図１０参照）内にパチンコ玉が存在する場合には、投光器（投光素子）６７ａからの投光が遮られて玉確認センサＡ（６３ａ）で受光されなくなり、玉が存在することが確認できるのであり、その確認信号が中継端子基板１３８，検出回路３６０を介して払出制御用マイクロコンピュータ３５０に入力される。同様に、玉通過口６４ｂ（図１０参照）にパチンコ玉が存在することが玉確認センサＢ（６８ｂ）により検出されてその検出信号が中継端子基板１３８，検出回路３６０を介して払出制御用マイクロコンピュータ３５０に入力される。一方、玉通過口６４ａ内のパチンコ玉が払出スプロケット７４（図１０参照）の回転により払出されればその払出されたパチンコ玉により投光器（投光素子）６７ｃからの投光が遮られて玉計数センサＡ（６８ｃ）で受光されなくなり、玉が払出されたことが検出されるのであり、その検出信号が中継端子基板１３８，検出回路３６０を介して払出制御用マイクロコンピュータ３５０に与えられる。同様に、玉通過口６４ｂ（図１０参照）内のパチンコ玉が払出スプロケット７４の回転により下方に払出されれば、その払出されたパチンコ玉が玉計数センサＢ（６８ｄ）により検出され、その検出信号が中継端子基板１３８，検出回路３６０を介して払出制御用マイクロコンピュータ３５０に与えられる。なお、検出回路３６０において、玉確認センサＡ（６８ａ）と玉確認センサＢ（６８ｂ）との検出信号をアンドゲートを介して払出制御用マイクロコンピュータ３５０に入力するようにしてもよい。このようにすれば、玉確認センサＡ（６８ａ）によるパチンコ玉の存在することの確認信号と玉確認センサＢ（６８ｂ）によるパチンコ玉が存在することの確認信号との両信号が共に検出回路３６０に入力された場合にのみパチンコ玉が存在することの確認信号が払出制御用マイクロコンピュータ３５０に与えられることになる。
　【００７３】
　入賞玉処理機構４４５の入賞玉センサＡ（１７０ａ），Ｂ（１７０ｂ）が入賞玉を検出すれば、その検出出力が検出回路３６０を介して入力される。タンク玉センサ１５０による玉タンク１５１内の玉の有無が検出され（図２参照）、その検出出力が遊技機用ターミナルボックス１４９，検出回路３６０を介して入力される。ゲーム制御基板ボックス１４８（図２参照）内に収納されているゲーム制御基板に設けられているゲーム制御用マイクロコンピュータ３７０から中継端子基板１３８，情報入力回路３６５を介し、後述するパチンコ玉の入賞信号が払出制御用マイクロコンピュータ３５０に入力される。カード処理機制御用マイクロコンピュータ３００から中継端子基板１３８，情報入力回路３６５を介して、玉貸要求信号が入力される。この情報入力回路３６５にはフォトカプラが設けられており、ゲーム制御用マイクロコンピュータ３７０とカード処理機制御用マイクロコンピュータ３００から入力される前述した信号がそのフォトカプラを介して払出制御用マイクロコンピュータ３５０に入力される。その結果、ゲーム制御用マイクロコンピュータ３７０とカード処理機制御用マイクロコンピュータ３００とに発生した故障の悪影響が払出制御用マイクロコンピュータ３５０にまで及ぶことを防止でき、ゲーム制御用マイクロコンピュータ３７０またはカード処理機制御用マイクロコンピュータ３００に発生した故障に起因して払出制御用マイクロコンピュータ３５０も故障してしまうという不都合を極力防止できる。
　【００７４】
　次に、払出制御用マイクロコンピュータ３５０は以下の回路や機器に対し次のような制御信号を出力する。
　【００７５】
　ＬＥＤ駆動回路３６１を介して、投光器６７ａ〜６７ｄにそれぞれ投光器制御用信号を出力する。またＬＥＤ駆動回路３６１を介してエラー原因表示器１４６（図２参照）にエラー原因表示用制御信号を与える。ソレノイド駆動回路３６２を介して払出ソレノイド２２３（図９参照）にソレノイド励磁用制御信号を出力する。玉確認センサおよび玉計数センサ６８ａ〜６８ｄ，各投光器６７ａ〜６７ｄならびに払出ソレノイド２２３は玉払出器６３に設けられている。
　【００７６】
　ソレノイド駆動回路３６２を介して排出ソレノイドＡ（１７１ａ），Ｂ（１７１ｂ）（図８参照）にそれぞれソレノイド励磁用制御信号を出力する。各入賞玉センサ１７０ａ，１７０ｂと各排出ソレノイド１７１ａ，１７１ｂが入賞玉処理装置４４５に設けられている。ソレノイド駆動回路３６２を介して玉抜きソレノイド１８０（図２参照）にソレノイド励磁用制御信号を与える。ランプ駆動回路３６３，遊技機制御用ターミナルボックス１４９を介して払出ランプ１２６（図１参照）に払出ランプ点灯用制御信号を与える。情報出力回路３６４，遊技機制御用ターミナルボックス１４９を介してホール用管理コンピュータに、後述する単位額売上信号，景品玉払出信号を出力する。この情報出力回路３６４にはリレースイッチが設けられており、遊技機制御用ターミナルボックス１４９に出力される前述した各種信号がこのリレースイッチを介して出力される。その結果、払出制御系に発生した故障の悪影響がホール用管理コンピュータにまで及ぶことが防止され、払出制御系に発生した故障に起因してホール用管理コンピュータまで故障してしまう不都合を極力防止できる。前記玉確認センサＡ（６８ａ），Ｂ（６８ｂ）や玉計数センサＡ（６８ｃ），（６８ｄ）により、前記玉払出機構による玉の払出しを検出する玉払出検出手段が構成されている。
　【００７７】
　図２１および図２２は、図１９に示した制御回路の動作を説明するためのフローチャートである。
　【００７８】
　ステップＳ（以下単にＳと言う）１により、カード処理機が正常か否かの自己診断を行なう。診断した結果異常があればＳ２に進み、異常が発生した箇所をカード残高表示器５０（図１参照）によりコードで表示する。具体的には、カードリーダライタの故障，信号線の断線，カード処理機用ターミナルボックスとの通信の不能等をコード表示する。一方、自己診断の結果異常がないと判断されればＳ３に進み、貸玉額の設定読込，端数表示モードの読込が行なわれる。この「貸玉額設定読込」とは、図２で示した貸玉額設定スイッチ１３７より設定された貸玉額をカード処理機制御用マイクロコンピュータ３００に読込む処理であり、「端数表示モード読込」とは、図２で示した端数表示スイッチで入力設定された端数表示モードをカード処理機制御用マイクロコンピュータに読込むための処理である。端数表示スイッチ１３６により１００円未満の端数を表示するモードに設定されておれば、その設定モードがカード処理機制御用マイクロコンピュータに読込まれて、図２で説明した端数表示制御が行なわれる。
　【００７９】
　次にＳ４に進み、払出制御用マイクロコンピュータから払出可能信号が入力されたか否かの判断が行なわれ、入力されるまで待機する。払出制御用マイクロコンピュータでは、後述する玉確認センサＡ，Ｂがともに玉有を検出し、満タン状態でなく、タンク玉センサが玉を検出している場合に払出可能信号をカード処理機制御用マイクロコンピュータに出力するのであり（払出制御用マイクロコンピュータからの出力処理はフローチャートを省略している）、カード処理機制御用マイクロコンピュータではそれを受けてＳ４によりＹＥＳ判断を行なう。なお、Ｓ４においてＮＯの判断がなされた場合には、払出可能信号がない旨をカード残高表示器にコード表示するようにしてもよい。次にＳ５に進み処理機使用可表示器１３０（図１参照）を点灯させて使用可能である旨の表示を行なう。次にＳ６に進み、カードリーダライタ制御部からカード受付信号があったか否かの判断が行なわれ、ない場合にはＳ７に進み、カードリーダライタ制御部からカード異常信号があったか否かの判断がなされ、ない場合には再びＳ６に戻る。このループの巡回途中で、カードリーダライタが適正なカードを受付ければ、カードリーダライタ制御部からカード受付信号があった旨の判定が行なわれて、Ｓ９に進む。一方、カードリーダライタ制御部からカード異常信号の出力があれば、Ｓ７によりＹＥＳ判断がなされＳ８に進み、カード異常原因をカード残高表示器５０（図１参照）にコードで表示する制御が行なわれる。具体的には、挿入されたカードの読取不能，セキュリティエラー等の異常原因の種類を示すコードがカード残高表示器５０により表示される。一方、Ｓ９ではカード挿入表示器１３２，玉貸可表示器４８ｄ，返却可表示器４６ｄ（図１参照）を点灯させ、挿入時残高表示器１３１により挿入時のカード残高の表示を行ない、カード残高表示器５０により現時点でのカードの残高の表示を行なう処理がなされる。次にＳ１０に進み、玉貸操作があったか否かの判断がなされ、ない場合にはＳ１１に進み、返却操作があったか否かの判断が行なわれ、ない場合にＳ１０に戻る。そして、遊技者が返却ボタン４２ｃ（図１参照）を押圧操作すればＳ１２に進み、玉貸可表示器４８ｄを消灯してＳ２７に進み以降の挿入カードの返却のための制御が行なわれる。一方、遊技者が玉貸ボタン４４ｃ（図１参照）を押圧操作すれば、Ｓ１３に進み、挿入カードの現在残高すなわちカード残高表示器５０（図１参照）に表示されている残高が貸玉額設定スイッチ１３７（図２参照）で設定された設定額以上であるか否かの判断が行なわれる。そして、現在残高が設定額以上であった場合にはＳ１４により貸玉額にその設定額をセットする処理がなされてＳ１６に進む。一方、現在残高が設定額未満であった場合にはＳ１５により貸玉額に現在残高をセットした後にＳ１６に進む。つまり、挿入カードの現在残高が設定額に満たない場合には、その設定額を貸玉額にセットしてその設定額分のパチンコ玉を払出すわけにはいかないため、挿入カードによって払出が可能な最高金額すなわち挿入カードの現在残高を貸玉額にセットする処理がなされるのである。
　【００８０】
次にＳ１６では、玉貸可表示器４８ｄ（図１参照）を消灯する処理がなされる。一旦玉貸操作がなされてそれに基づく玉貸動作が完了するまでは次の玉貸操作を受付けないようにしているために、後述するＳ４０により玉貸可表示器が点灯されるまでは玉貸可表示器４８ｄを消灯して玉貸操作ができない旨を表示するのである。次にＳ１７に進み、払出制御用マイクロコンピュータに玉貸要求信号の出力を開始する制御がなされる。次にＳ１８に進み、タイマＴ１がセットされ、Ｓ１９に進み、払出制御用マイクロコンピュータから玉貸準備信号が入力されたか否かの判断がなされる。払出制御用マイクロコンピュータでは、Ｓ１７による玉貸要求信号を受けて、玉貸が可能な状態であれば玉貸のための準備制御を行なった後にＳ５５によりカード処理機制御用マイクロコンピュータに玉貸準備信号を出力する処理がなされる。カード処理機制御用マイクロコンピュータがＳ１８によりセットされたタイマＴ１が終了する以前にこの玉貸準備信号を受信すれば、Ｓ１９によりＹＥＳ判断がなされ、払出制御用マイクロコンピュータの玉貸が終了した旨の信号の送信を待機する処理がなされる。一方、Ｔ１が終了するまで払出制御用マイクロコンピュータから玉貸準備信号が入力されなかった場合にはＳ２２に進み、玉貸要求信号の出力を停止し、貸玉額をクリアする処理がなされてＳ１０に進む。パチンコ遊技機６０が既に貸玉の払出を行なっている場合や入賞に伴う景品玉の払出を行なっている場合には、後述するＳ５１，Ｓ５２，Ｓ５４，Ｓ５５の処理が行なわれないために、Ｔ１が終了するまで払出制御用マイクロコンピュータから玉貸準備信号の出力がなされないのであって、その場合にはＳ２２による処理が行なわれるのである。なお、このＴ１は、たとえば１０ｍｓｅｃ以上で１０ｓｅｃ以下程度の時間である。一方、このＴ１が終了する以前でかつ払出制御用マイクロコンピュータから玉貸準備信号の入力がなくかつ遊技者が返却ボタン４２ｃを押圧操作した場合には、Ｓ２３に進み、タイマＴ２がセットされる。そしてＳ２４により、払出制御用マイクロコンピュータから玉貸準備信号の入力があったか否かの判断がなされ、タイマＴ２が終了する以前において払出制御用マイクロコンピュータから玉貸準備信号の入力があった場合にはＳ２９に進むが、タイマＴ２が終了するまで払出制御用マイクロコンピュータから玉貸準備信号の入力がなかった場合にはＳ２６に進み、挿入カードの返却を行なうための制御が行なわれる。このタイマＴ２はたとえば数百ｍｓｅｃ程度の時間であり、返却操作ボタン４２ｃ（図１参照）が押圧操作された後Ｔ２（数百ｍｓｅｃ）の間に玉貸準備信号が払出制御用マイクロコンピュータからカード処理機制御用マイクロコンピュータに入力されないことを確認したうえでＳ２６以降の返却動作に移行する。このように、返却ボタンが押圧操作された後実際に挿入カードの返却動作を行なうまでにＴ２のタイムラグを設けることにより、パチンコ遊技機側の玉貸動作と返却ボタンの返却操作とが同一タイミングで行なわれた場合に玉貸が行なわれたにもかかわらず挿入カードが返却されてしまい、カード残高の減額更新をしなければならないカードが既に返却されてしまっているという不都合を防止できる利点がある。なお、Ｓ２０，Ｓ２３〜Ｓ２５の処理を行なわないようにし、玉貸が終了するまでは返却操作を受付けないようにしてもよい。
　【００８１】
　Ｓ２６では、玉貸要求信号の出力を停止し、貸玉額をクリアする処理が行なわれ、Ｓ２７より、返却可表示器４６ｄ（図１参照）が消灯され、Ｓ２８より、カードリーダライタ制御部に現在残高，カード書込排出指令信号を出力する処理がなされる。このＳ２８による信号を受けてカードリーダライタ制御部は、挿入カードのカード残高を現在残高に更新した後その挿入カードを排出する制御を行なう。このＳ２８の制御が行なわれた後にＳ４２に進み、挿入カードの返却に伴う制御が行なわれる。
　【００８２】
　一方、Ｓ２４により払出制御用マイクロコンピュータから玉貸準備信号の入力があったと判断された場合にはＳ２９に進み、返却可表示器４６ｄが消灯されて返却操作ができない旨を表示し、Ｓ３０に進み、タイマＴ３がセットされる。このタイマＴ３は、パチンコ遊技機側での貸玉の払出に要する時間を考慮してたとえば１０ｓｅｃ程度に設定されている。このタイマＴ３が終了する以前において払出制御用マイクロコンピュータから貸玉完了信号の入力があった場合にはＳ３５に進むが、このタイマＴ３が終了したとしても貸玉完了信号の入力がなかった場合にはＳ３３に進み、玉貸異常をカード残高表示器５０（図１参照）によりコードで表示する処理が行なわれ、Ｓ３４により処理機使用可表示器１３０（図１参照）が消灯されてＳ２６に進む。そしてＳ２６以降の挿入カードの返却制御が行なわれる。つまり、払出制御用マイクロコンピュータから玉貸準備信号の入力があり払出制御用マイクロコンピュータにより玉貸制御が行なわれているはずであるにもかかわらず、Ｔ３が終了しても玉貸完了信号が払出制御用マイクロコンピュータから送信されてこないということは、パチンコ遊技機側の玉払出装置等に何らかの異常が発生したことが考えられるのであり、その場合には挿入カードを遊技者に返却するのである。
　一方、Ｔ３が終了する以前に払出制御用マイクロコンピュータから玉貸完了信号が入力されればＳ３５により、現在残高から単位額を減算し、貸玉額から単位額を減算する処理がなされる。払出制御用マイクロコンピュータから玉貸完了信号が入力されたということは、パチンコ遊技機側で単位額（たとえば１００円）に相当するパチンコ玉が貸出されたことを意味するために、その貸出されたパチンコ玉に相当する金額である単位額を、挿入カードの現在残高から減算するとともにＳ１４，Ｓ１５でセットされた貸玉額からその単位額を減算するのである。次にＳ３６に進み、カード処理機用ターミナルボックスに単位額売上信号を出力する処理がなされる。このカード処理機用ターミナルボックスに送信されてきた単位額売上信号が玉貸カード集中管理コンピュータに出力され、玉貸カード集中管理コンピュータにより玉貸カードの使用データが集計される。なお、カード処理機用ターミナルボックスから玉貸カード集中管理コンピュータへの売上信号出力はリアルタイムで行なってもよいし、一定時間ごとあるいは一日ごとにまとめて行なってもよい。次にＳ３７に進み、玉貸要求信号の出力が停止され、Ｓ３８に進み、貸玉額＝０であるか否かの判断がなされる。Ｓ１４，Ｓ１５によってセットされた貸主額に相当するパチンコ玉のうちまだ払出されていない未払出分が残っている場合には貸玉額が「０」となっていないためにＳ３８によりＯＮの判断がなされＳ１７に進み、払出制御用マイクロコンピュータに再度玉貸要求信号の出力がなされる。一方、玉貸額分のパチンコ玉がすべて払出されている場合には貸玉額＝０となっているためにＳ３９に進み、現在残高＝０であるか否かの判断が行なわれる。そして、挿入カードの現在残高がまだ残っている場合にはＳ４０に進み、玉貸可表示器４６ｄを点灯し、返却可表示器４８ｄを点灯する処理がなされてＳ１０に進み、再度の玉貸操作，返却操作の受付動作が行なわれる。一方、Ｓ３９により現在残高＝０と判断された場合にはＳ４１に進み、カードリーダライタ制御部に残高０，カード回収指令信号を出力する処理がなされる。これによりカードリーダライタ制御部は、挿入カードのカード残高を「０」に更新した後にその挿入カードを機内に回収する。次にＳ４２によりタイマＴ４がセットされる。このタイマＴ４は、カードリーダライタが挿入カードの残高を「０」に更新した後にその挿入カードを機内に回収するのに十分な時間を考慮して設定されているものであり、このタイマＴ４が終了する以前にカードリーダライタ制御部からカード処理完了信号を受信しなかった場合にはＳ４５に進み、カード処理異常をカード残高表示器５０によりコードで表示する処理が行なわれる。具体的には、たとえば挿入カードへの残高「０」の書込不能や書込んだデータの読取確認をした場合のエラー等をコードにより表示する。
　【００８３】
　一方、タイマＴ４の終了する以前においてカードリーダライタ制御部からカード処理完了信号の入力があった場合にＳ４６に進み、カードが挿入されている旨の表示を行なうためのカード挿入表示器１３２（図１参照）を消灯し、Ｓ４７により玉貸異常があったか否かの判断が行なわれ、なかった場合にはＳ６に進み、新たなカードのカードリーダライタへの挿入受付の制御が行なわれ、玉貸異常があった場合にはＳ４に進み、払出制御用マイクロコンピュータからの払出可能信号の受付制御が行なわれる。
　【００８４】
　以上説明したように、パチンコ遊技機側で単位額（たとえば１００円）に相当するパチンコ玉（たとえば２５個）が貸出されるごとに払出制御用マイクロコンピュータからカード処理機制御用マイクロコンピュータに玉貸完了信号が出力されるのであり、カード処理機制御用マイクロコンピュータではその出力信号を入力するたびに貸玉額（Ｓ１４，Ｓ１５を参照）分のパチンコ玉がすべて貸出されたか否かの判断を行ない、未だに貸出されていない未貸出分がある場合にはその未貸出分をすべて貸出すまで前記単位額（たとえば１００円）のパチンコ玉の貸出を繰返し行なうのである。このような制御の途中において、払出制御用マイクロコンピュータによる単位額（たとえば１００円）分のパチンコ玉の貸出制御の途中で故障等により貸出が不能の状態となった場合には、払出制御用マイクロコンピュータから玉貸完了信号が出力されなくなるのであり、その結果カード処理機６２による挿入カードのカード残高の減額更新も行なわれなくなる。その結果、単位額（たとえば１００円）のパチンコ玉の貸出制御においてたとえば６０円分のパチンコ玉の貸出制御を行なった段階で故障が発生した場合には、その６０円分のパチンコ玉の貸出に伴う負担を遊技場側が負わなければならないが、故障に伴う負担額が比較的小額の単位額（たとえば１００円）の範囲内となるために、遊技場の負担に伴う損害を極力最小限に食い止めることができる。
　【００８５】
　図２３ないし図２６は、図２０に示した制御回路の動作を説明するためのフローチャートである。
　【００８６】
　図２３ないし図２５のフローチャートで示すプログラムが実行されている最中に、図２６に示す割込プログラムがたとえば２ｍｓｅｃ毎に１回実行される。まずこの割込プログラムを図２６に基づいて説明する。
　【００８７】
　Ｓ１１９により、ゲーム制御用マイクロコンピュータから入賞信号があったか否かの判断が行なわれ、あるまで待機する。そして遊技領域１２０に打込まれたパチンコ玉が始動入賞口１２５ａ（図１参照）に入賞すれば、ゲーム制御用マイクロコンピュータ３７０から払出制御用マイクロコンピュータ３５０に入賞信号が入力され、Ｓ１２０により入賞記憶数を「１」加算してＳ１１９に戻る。
　【００８８】
　次に図２３ないし図２５に基づいて玉払出用の制御動作を説明する。まずＳ４８により、玉確認センサＡ，Ｂ共に玉有の検出をしているか否かの判断が行なわれる。図１０に示した玉確認センサＡ（６８ａ）と玉確認センサＢ（６８ｂ）との検出位置にパチンコ玉が存在する場合には、Ｓ４９に進み、満タン検出が行なわれているか否かの判断が行なわれる。余剰玉貯留皿１２２（図１参照）が未だに満杯になっていなければＳ５０に進み、未払出数＝０であるか否かの判断が行なわれる。この「未払出数」とは、払出すべきパチンコ玉のうち未だに払出が行なわれていないパチンコ玉の数を意味し、後述するＳ５４，Ｓ５９，Ｓ６２，Ｓ６３でそれぞれの値にセットされ、パチンコ玉が払出されるごとに後述するＳ８９により「１」ずつ減算される。
　【００８９】
　そして、未払出数が「０」の場合には、Ｓ５１に進み、カード処理機制御用マイクロコンピュータから玉貸要求信号があったか否かの判断が行なわれる。このＳ５１の判断はタイマＴ７がタイムアップするまで繰返し行なわれ、Ｔ７が終了するまでの間にカード処理機制御用マイクロコンピュータから玉貸要求信号がなかった場合にはＳ５６に進み、入賞玉センサＡが玉を検出したか否かの判断が行なわれ、入賞玉センサＡ（１７０ａ）が入賞玉を検出していなければＳ５７により入賞玉センサＢ（１７０ｂ）が入賞玉を検出したか否かの判断が行なわれ、検出していなければＳ６４に進む。このタイマＴ７は、一定期間に限り入賞玉の受付けよりも玉貸要求の受付の方を優先させるために設けられたものであり、後述のＳ９４によりセツトされる。
　【００９０】
　Ｓ６４では、玉計数センサＡ（６８ｃ），Ｂ（６８ｄ）（図１０参照）のいずれかがパチンコ玉の流下を検出したか否かの判断が行なわれ、検出されていなければ玉確認センサＡ（６８ａ），Ｂ（６８ｂ）（図１０参照）のいずれかが玉の流下を検出したか否かの判断が行なわれ、検出していなければＳ６７に進み、払出ソレノイド２２３（図９参照）がＯＮになったか否かの判断が行なわれ、ＯＮになっていなければＳ４８に戻る。このＳ４８〜Ｓ５１，Ｓ５３，Ｓ５６，Ｓ５７，Ｓ６４，Ｓ６５，Ｓ６７からなるループの巡回途中で、払出ソレノイド２２３（図９参照）が励磁されていればＳ６７によりＹＥＳ判断がなされてＳ６８に進み、払出異常をエラー原因表示器１４６（図２参照）によりコードで表示するとともに、玉抜きソレノイド１８０（図２参照）を励磁して玉抜き処理を行なう。
　【００９１】
　つまり、Ｓ６７によりＹＥＳの判断がなされるということは、パチンコ玉の払出制御が行なわれていないにもかかわらず払出ソレノイド２２３が励磁された場合であり、このような異常はソレノイド駆動回路が故障していることが考えられ、その場合にソレノイド駆動回路の故障を報知するとともに、玉抜き処理を行なって玉タンク１５１およびタンクレール６７（図２参照）内のパチンコ玉を機外に抜取って大量のパチンコ玉が誤って打球供給皿５９（図１参照）内に払出されることを防止するのである。なお、払出ソレノイド２２３がＯＮになっているか否かの判断は、玉払出器６３（図２参照）内のソレノイド駆動部にたとえばフォトカプラを組込んで実際の駆動状態を検出することにより行なう。次に玉計数センサＡ，Ｂあるいは玉確認センサＡ，Ｂのいずれかが玉の流下を検出した場合には、Ｓ６６に進み、パチンコ玉の払出制御が行なわれていないにもかかわらずパチンコ玉が払出された旨の異常報知を行なうとともに、玉抜き処理を行なう。
　【００９２】
　次に、タイマＴ７がタイムアップするまでの間に、Ｓ１７のステップに従ってカード処理機制御用マイクロコンピュータ３００から玉貸要求信号が送信されてくれば、Ｓ５１によりＹＥＳの判断がなされてＳ５２に進み、玉貸動作のための制御が行なわれる。このように、Ｔ７が終了するまでは玉貸動作のための制御を優先させ、Ｔ７が終了して初めて入賞玉に基づく景品玉の払出制御を行なうようにしたために、設定額（Ｓ１４，Ｓ１５を参照）が２００円以上の場合に、景品玉の払出制御よりも玉貸動作のための制御のほうが優先されることになる。
　【００９３】
　Ｓ５２により、タンク玉センサが玉を検出しているか否かの判断が行なわれ、検出していなければＳ５３に進み玉貸しによるパチンコ玉の払出し動作が不能動化されるが、検出しておればＳ５４に進み、未払出数にｐをセットし、払出状態を「玉貸」にセットする処理が行なわれる。「未払出数」とは、払出すべきパチンコ玉の中でまだ払出されていない払出残り数のことであり、Ｓ５４および後述するＳ５９，Ｓ６２，Ｓ６３によりそれぞれの値がセットされるとともにパチンコ玉が１個払出されるごとにＳ８９により「１」ずつ減算される。なお、Ｓ５４のｐとは、単位額（Ｓ３５を参照）に相当するパチンコ玉の個数でありたとえば２５個に定められている。次にＳ５５に進み、カード処理機制御用マイクロコンピュータ３００に玉貸準備信号を出力する処理が行なわれてＳ６９に進む。
　【００９４】
　一方、始動入賞口１２５ａ，１２５ｂ，１２５ｃのいずれかにパチンコ玉が入賞すれば入賞玉センサＡにより検出され、Ｓ５６によりＹＥＳの判断がなされてＳ５８に進み、入賞記憶数＝０であるか否かの判断が行なわれる。この「入賞記憶数」とは、前述したＳ１２０により「１」ずつ加算され、Ｓ１０６より「１」ずつ減算されるものであり、始動入賞口１２５ａに入賞した入賞玉のうち未だに景品玉の払出が行なわれていない入賞玉の個数を意味する。そして、入賞記憶数が０でない場合にＳ５９に進み、未払出数にｎ個（たとえば７個）がセットされ、払出状態を「ｎ払出」にし、払出表示ランプ１２６の点灯を開始する処理が行なわれた後にＳ６９に進む。つまり、パチンコ玉が始動入賞口１２５ａに入賞すれば１個の入賞につきｎ個（たとえば７個）の景品玉が払出されることになる。一方、入賞記憶数＝０である場合にはＳ６０に進み、払出状態が、「ｎ払出」かまたは「ｍ払出」かの判断が行なわれる。現在の払出状態が「ｎ払出」または「ｍ払出」の場合にはＳ６１に進み、入賞玉センサＢ（１７０ｂ）がパチンコ玉を検出したか否かの判断が行なわれ、検出していなければＳ６２に進み、未払出数にｍ（たとえば１０個）をセットし、払出状態を「ｍ払出」にし、払出表示ランプ１２６の点灯を開始する処理が行なわれる。つまり、始動入賞口１２５ａ，１２５ｂ，１２５ｃにパチンコ玉が複数個入賞した場合においては、まず始動入賞口１２５ａに入賞した入賞玉に基づくｎ個（たとえば７個）のパチンコ玉の払出を優先し、その後始動入賞口１２５ｂ，１２５ｃに入賞した入賞玉に基づくｍ個（たとえば１０個）の景品玉の払出が行なわれる。一方、始動入賞口１２５ａ〜１２５ｃ以外の入賞口にパチンコ玉が入賞した場合には、入賞玉センサＢ（１７０ｂ）（図８参照）によりその入賞玉が検出され、Ｓ５７によりＹＥＳの判断がなされてＳ６３に進む。一方、前回の景品玉の払出が入賞玉センサＡ（１７０ａ）の検出出力に基づくｎまたはｍの景品玉の払出であり、かつ入賞玉センサＢ（１７０ｂ）からパチンコ玉の検出出力があればＳ６１によりＹＥＳの判断がなされてＳ６３に進む。Ｓ６３では、未払出数にｋ（たとえば１５個）をセットし、払出状態を「ｋ払出」にし、払出表示ランプ１２６の点灯を開始する制御を行なう。その結果、入賞玉センサＡ，Ｂが共に入賞玉を検出している場合には一方の入賞玉センサに基づく景品玉の払出と他方の入賞玉センサに基づく景品玉の払出とが交互が行なわれる。前述したＳ５９，Ｓ６２，Ｓ６３のｎ，ｍ，ｋの景品玉払出定数は、本実施例ではＲＯＭ３５２に固定記憶させるようにしたが、貸玉額設定スイッチ１３７（図２参照）と同様のスイッチで選択設定できるようにしてもよいし、払出制御基板ボックス１４５または適所にカードリーダを設けて、景品玉払出定数データが記録された設定用カードをカードリーダで読取らせて設定できるようにしてもよい。前記Ｓ１０，Ｓ１７，Ｓ４８〜Ｓ５２，Ｓ５６，Ｓ５７，Ｓ１１９，Ｓ１２０により、玉を払出すべき玉払出条件が成立したことを判定する払出条件判定手段が構成されている。
　【００９５】
　前記Ｓ１０，Ｓ４８〜Ｓ５２により、前記記録媒体の記録情報によって特定される有価価値の一部を前記遊技用有価価値として前記遊技機に使用するべく引落す引落し条件が成立したことを判定する引落し条件判定手段が構成されている。
　【００９６】
　図２２のＳ６９では、タイマＴ５がセットされる。このタイマＴ５は、払出ソレノイド２２３の励磁する時間を定めるものであり、払出スプロケット７４（図９，図１３参照）がパチンコ玉の自重でストッパ係止部一個分回転するのに要する時間（たとえば８〜１０ｍｓｅｃ）だけ払出ソレノイド１８０を励磁するためのものである。次にＳ７０により払出ソレノイドをＯＮにする制御が行なわれ、Ｓ７１に進み、玉計数センサＡが払出玉を検出したか否かの判断が行なわれる。そして未だに玉計数センサＡが払出玉を検出していない場合にはＳ７２に進み、玉計数センサＢが払出玉を検出したか否かの判断が行なわれ、未だに検出していない場合にはＳ８０に進み、タイマＴ５が終了したか否かの判断が行なわれ、未だにタイマＴ５が終了していない場合にはＳ８１に進み減算して終了するか否かの判断が行なわれ、減算したとしても終了しない場合にはＳ７２に戻り、払出ソレノイドがＯＮに制御され続ける。払出ソレノイド２２３（図９参照）が励磁されたことに伴って、前述したように払出スプロケット７４が回転可能となり、パチンコ玉の自重により払出スプロケット７４が回転してパチンコ玉が１個玉通過口６４ａから下方に払出されれば、玉計数センサＡ（６８ｃ）が払出玉を検出して、Ｓ７３に進み、玉計数センサＡの検出記憶があるか否かの判断が行なわれる。
　【００９７】
　この玉計数センサＡの検出記憶は、玉計数センサＡの記憶がない状態で玉計数センサＡが払出玉を検出した場合にＳ７４により記憶されるものであり、玉計数センサＢの記憶がない状態で玉計数センサＢが払出玉を検出した状態でＳ７６によりその記憶がクリアされるものである。つまり、玉払出器６３が正常に作動している場合には２つの玉通過口６４ａ，６４ｂから交互に１つずつパチンコ玉が払出されるのであり、その場合には必ず玉計数センサＡが払出玉を検出した時点では玉計数センサＡの検出記憶がクリアされており、玉計数センサＢが払出玉を検出した時点では玉計数センサＢの検出記憶がクリアされるはずであり、正常に作動している以上Ｓ７３とＳ７５とではＮＯの判断がなされるはずである。ところが、装置内でパチンコ玉が詰まった場合や玉計数センサが故障した場合には、Ｓ７３やＳ７５によりＹＥＳ判断がなされることになり、その場合にはＳ７７に進み、玉計数センサの故障または装置内の玉詰まりの異常状態が発生した旨をエラー原因表示器１４６によりコードによって表示するとともに玉抜き処理が行なわれる。
　【００９８】
　一方、Ｓ７３によりＮＯの判断がなされた場合にはＳ７４に進み、玉計数センサＡの検出を記憶し、玉計数センサＢの検出記憶をクリアし、検出個数に「１」を加算する。一方、Ｓ７５によりＮＯの判断がなされた場合にはＳ７６に進み、玉計数センサＡの検出を記憶し、玉計数センサＡの検出記憶をクリアし、検出個数に「１」を加算する。次にＳ７８に進み、検出個数＝２になるか否かの判断が行なわれる。正常に玉払出動作が行なわれている場合には、Ｔ５のセット時間だけ払出ソレノイド２２３が励磁されて１個のパチンコ玉が払出されて検出されるはずであり、検出個数が「１」となるはずである。その検出個数が「２」でない場合にはＳ８０に進み、タイマＴ５が終了したか否かの判断が行なわれ、終了した場合にはＳ８３に進み払出ソレノイドをＯＦＦに制御するのであるが、パチンコ玉が２個払出されて検出個数が「２」になった場合には、Ｓ７９に進み払出ソレノイドの１回の作動で複数個の玉が払出された旨の異常状態をエラー原因表示器１４６によりコードによって表示するとともに玉抜き処理が行なわれる。
　【００９９】
　次に、Ｓ８１により減算して終了すると判断された場合にはＳ８２に進み、タイマＴ６がセットされた後にＳ８３により払出ソレノイド２２３がＯＦＦに制御される。このタイマＴ６は、払出ソレノイド２２３が励磁されて払出されたパチンコ玉が玉計数センサＡまたはＢで検出されたかどうかをチェックするために必要な時間を計時するためのものである。そしてＳ８４によりＴ６が終了したか否かの判断が行なわれ、終了した場合にはＳ８７に進み、検出個数＝０であるか否かの判断が行なわれる。正常に払出されている場合には検出個数が「１」になっているために、Ｓ８８に進み、検出個数をクリアし作動回数をクリアしてＳ８９により未払出数を「１」減算してＳ９０に進む。このＳ８９によりパチンコ玉が払出される毎に未払出数が「１」ずつ減算され、未払出数が「０」になっていない場合には前記Ｓ５０によりＮＯの判断がなされＳ６９以降のパチンコ玉の払出制御が行なわれるのであるが、未払出数が「０」になれば前記Ｓ５０によりＹＥＳの判断がなされ、パチンコ玉の払出が一旦終了して次の払出条件の成立まで払出制御が休止される。次にＳ９０により、払出状態が「玉貸」であるか否かの判断が行なわれ、払出状態が「玉貸」以外の場合すなわち入賞玉に基づく景品玉の払出の場合にはＳ９８に進み、景品玉の払出に伴う制御が行なわれる。一方、払出状態が「玉貸」の場合にはＳ９１に進み、未払出数＝０であるか否かの判断が行なわれ、０でない場合にはＳ４８に進むが、０の場合にはＳ９２に進み、カード処理機制御用マイクロコンピュータ３００に玉貸完了信号を出力する処理が行なわれ、Ｓ９３により、遊技機用ターミナルボックス１４９，コネクタ１５８，１５７を介してホール用管理コンピュータに単位額売上信号を出力する処理が行なわれる。この「単位額売上信号」とは、単位額（Ｓ１４，Ｓ１５を参照）分のパチンコ玉がカードを用いて貸出されたことによる単位額分のパチンコ玉の売上信号であり、この信号を受信したホール用管理コンピュータが、カードによる売上額の集計を行なう。次にＳ９４によりタイマＴ７がセットされてＳ４８に戻る。
　【０１００】
　一方、タイマＴ６が終了する期間内に１個もパチンコ玉が払出されなかった場合にはＳ８７によりＹＥＳの判断がなされてＳ９５に進み、作動回数に「１」を加算して、Ｓ９６に進み、作動回数が「２」であるか否かの判断が行なわれ、作動回数が１回目の場合にはＳ４８に戻り、再度パチンコ玉の払出制御を行なう。そして再度のパチンコ玉の払出制御にもかかわらずパチンコ玉が１個も払出されなかった場合には、再びＳ９５により作動回数が「１」加算される。その結果、作動回数＝２となり、Ｓ９６により、パチンコ玉を払出すべき払出条件が成立したにもかかわらずパチンコ玉が払出されなかったまたは払出した玉が検出されなかった旨の異常状態をエラー原因表示器１４６によりコードにより表示するとともに玉抜き処理が行なわれる。
　【０１０１】
　なお、Ｓ９７による異常時処理の異常状態の原因をさらに詳しく特定してもよい。すなわち、玉確認センサがパチンコ玉の流下を検出した場合には玉計数センサの故障であり、玉確認センサが玉の流下を検出せずかつ払出ソレノイドの作動が検出された場合には玉詰まりまたは玉確認センサの故障であり、玉確認センサがパチンコ玉の流下を検出せずかつ払出ソレノイドの作動が検出されなかった場合には払出ソレノイドの故障というように異常原因を細かく判定してもよい。また、玉確認センサによって玉の流下を検出判定するようにし、玉確認センサによる流下玉の検出個数と玉計数センサによる検出個数とを比較して、玉の払出状態を監視するように構成してもよい。
　【０１０２】
　次に、Ｓ８４により、Ｔ６が終了していないと判断された場合にはＳ８５に進み、払出ソレノイドがＯＮになっているか否かの判断がなされ、ＯＮになっていない場合にはＳ７１に進む。一方、Ｓ８３により払出ソレノイドをＯＦＦに制御したにもかかわらず払出ソレノイドがＯＮになっている場合にはＳ８５によりＹＥＳ判断がなされＳ８６に進み、ソレノイド駆動回路の故障をエラー原因表示器１４６によりコードによって表示するとともに玉抜き処理を行なう。このＳ８５による判断も、前述と同様に、玉払出器６３のソレノイド駆動部にたとえばフォトカプラを組込んで実際の駆動状態を検出することにより行なう。前記Ｓ６４〜Ｓ６６，Ｓ７１，Ｓ７２，Ｓ８１，Ｓ８２，Ｓ８７，Ｓ９５〜Ｓ９７により、前記払出条件判定手段の判定結果と前記玉払出検出手段の検出結果とに基づいて装置の動作状態の適否を判定する適否判定手段が構成されている。
　【０１０３】
　前記Ｓ５４，Ｓ６９〜Ｓ９１により、前記引落し条件判定手段の判定出力に基づいて、前記記録媒体の記録情報によって特定される有価価値から引落されるべき引落し有価価値に相当する遊技用有価価値を遊技使用のために確保する確保手段が構成されている。また、前記Ｓ３１，Ｓ３５により、前記確保手段によって前記遊技用有価価値が確保されたことを条件として、前記記録媒体の記録情報によって特定される有価価値から前記引落し有価価値を減算する減算手段が構成されている。
　【０１０４】
　次に払出状態が「玉貸」ではなく景品玉の払出の場合にはＳ９８により、景品玉払出数を「１」加算する。つまり、入賞に基づいて景品玉が１個払出されるごとにＳ９８により景品玉払出数を「１」ずつ加算する処理が行なわれる。次にＳ９９により、景品玉払出数が「ａ」になったか否かの判断が行なわれ、なっていない場合にはＳ１０２に進むが、なっている場合にはＳ１００に進み、遊技機用ターミナルボックス１４９ネコネクタ１５６，１５５を介してホール用管理コンピュータに景品玉払出信号の出力がなされる。ホール用管理コンピュータでは、この景品玉払出信号に基づいて遊技場にとって不利益となる不利益球数を集計する。このように、所定個数の景品玉が払出されるごとに景品玉払出信号が１パルスホール用管理コンピュータに出力されるのであり、この１パルスの景品玉払出信号が出力されるのに要する景品玉の払出個数が「ａ」でありたとえば１０個に設定されている。この「ａ」は補給装置１５３の補給玉検出器の出力単位個数と同じ値である。そして、景品玉払出信号が出力されるとＳ１０１により景品玉払出数がクリアされて「０」となる。次にＳ１０２に進み、未払出数＝０であるか否かの判断が行なわれ、「０」でなければＳ４８に進むが、「０」である場合にはＳ１０３に進み、タイマＴ８がセットされる。このタイマＴ８は入賞玉の排出処理のチェックに必要となる時間を計時するものである。次にＳ１０４に進み、払出表示ランプ１２６（図１参照）が消灯され、Ｓ１０５により、払出状態が「ｎ払出」であるか否かの判断が行なわれる。払出状態が「ｎ払出」の場合には、Ｓ１０６により入賞記憶数を「１」減算する処理が行なわれる。「ｎ払出」の場合には入賞記憶数（Ｓ１２０参照）に基づく景品玉の払出であるために、未払出数が「０」（Ｓ１０２参照）となって１個の入賞記憶数に基づく景品玉の排出が終了したことに伴ってその入賞記憶を「１」減算するのである。次にＳ１０８に進み、払出ソレノイドＡ（１７１ａ）（図８参照）をＯＮにする。次にＳ１０９により、入賞玉センサＡ（１７０ａ）がパチンコ玉のあることを検出したか否かの判断が行なわれる。排出ソレノイドＡ（１７１ａ）がＯＮになって励磁されれば、図８に示すように、入賞玉センサＡ（１７０ａ）内のパチンコ玉が１個下方に落下するのであり、所定期間内のうちには入賞玉センサＡ（１７０ａ）が玉を検出しなくなるはずである。そして、Ｓ１１０によりタイマＴ８が終了するまで排出ソレノイドＡを励磁し続けて入賞玉センサＡが玉有りを検出し得るか否かの判断を行ない、入賞玉センサＡが玉有りを検出しなくなればＳ１１１により排出ソレノイドＡ（１７０ａ）をＯＦＦに制御してＳ４８に戻る。一方、タイマＴ８が終了する期間中ずっと入賞玉センサＡが玉有りを検出し続けた場合には、排出ソレノイドＡが励磁されているにもかかわらず入賞玉センサＡ内のパチンコ玉が下方に落下しないということであり、玉詰まりまたは入賞玉センサＡや排出ソレノイドＡの故障が考えられるため、Ｓ１１６により、ソレノイドの故障による払出異常が発生した旨をエラー原因表示器１４６によりコードによって表示させるとともに玉抜き処理が行なわれる。次にＳ１１７に進み、リセット操作があったか否かの判断がなされリセット操作があるまで待機する。そしてリセット操作があればＳ１１８に進み、検出個数をクリアし、作動回数をクリアし、玉計数センサＡの検出記憶をクリアするとともに玉計数センサＢの検出記憶をクリアする処理が行なわれてＳ４８に戻る。
　【０１０５】
一方、Ｓ１０７により、払出状態が「ｍ払出」であるか否かの判断が行なわれ、「ｍ払出」の場合には前記Ｓ１０８に進むが、払出状態が「ｎ払出」でもなく「ｍ払出」でもない場合すなわち「ｋ払出」の場合にはＳ１１２に進み、排出ソレノイドＢ（１７１ｂ）（図８参照）をＯＮにする制御が行なわれる。つまり、「ｋ払出」の場合には、第２の入賞玉集合樋４５内の入賞玉に基づく景品玉の払出であるために、Ｓ１１２により排出ソレノイドＢ（１７１ｂ）が励磁されるのである。次にＳ１１３により、入賞玉センサＢ（１７０ｂ）が玉有りを検出したか否かの判断が行なわれ、前述と同様に、タイマＴ８が終了するまでの間に玉有りを検出しなくなればＳ１１５に進んで排出ソレノイドＢをＯＦＦに制御した後Ｓ４８に進むが、タイマＴ８が終了するまでの間はずっと入賞玉センサＢが玉有りを検出し続けた場合にＳ１１６に進み、前述と同様に払出異常コードの表示，玉抜き処理の制御が行なわれた後にＳ１１７に進む。なお、前述した、Ｓ６６，Ｓ６８，Ｓ７７，Ｓ７９，Ｓ８６，Ｓ９７の異常時の処理が行なわれた後もＳ１１７に進み、リセット操作の受付制御が行なわれる。なお、前述したＳ４８，Ｓ６４，Ｓ６６の制御に加えて、玉確認センサＡが玉有りを検出せずかつ玉検出センサＡが玉の流下を検出した場合に玉確認センサＡが故障した旨の異常コードをエラー原因表示器１４６により表示させ、また、玉確認センサＢが玉有りを検出せずかつ玉検出センサＢが玉の流下を検出した場合に玉確認センサＢが故障した旨の異常コードをエラー原因表示器１４６により表示させるように制御してもよい。さらに、前記Ｓ７１によりＮＯと判断がなされた場合に玉確認センサＡが玉有りを検出したか否かの判断ステップを挿入して玉確認センサＡが玉有りを検出している場合には玉検出センサＡが故障した旨の異常コードを表示して玉抜き処理を行なってもよい。つまり、Ｓ７２により玉検出センサＢが玉払出を検出しなかった場合に玉確認センサＢが玉有りを検出したか否かの判断ステップを挿入し、玉確認センサＢが玉有りを検出している場合には玉検出センサＢが故障した旨の異常コード表示をするとともに玉抜き処理を行なうようにしてもよい。このような玉確認センサＡ，Ｂと玉検出センサＡ，Ｂとの検出状態の組合せによって異常が発生したか否かの判断をするステップにより、前記第１の玉検出手段の検出結果と前記第２の玉検出手段の検出結果との組合せに基づいて、装置の動作状態の適否を判定する適否判定手段が構成されている。
　【０１０６】
　次に、本発明の別実施例を列挙する。
　（１）入賞玉を貯留しておき１個の入賞玉に基づく景品玉の払出制御が終了した後入賞玉１個排出処理しさらに次の入賞玉に基づく景品玉の払出制御を行なうという前述した入賞玉１個宛処理方式の代わりに、入賞玉を貯留しておくことなく入賞玉検出毎に対応する景品玉数を未払出数に加算するとともに、払出玉の検出毎に未払出数から減算し、その未払出数を遊技者に表示するようにし、その未払出数が「０」になれば景品玉の払出制御を停止させるようにしてもよい。
　【０１０７】
　（２）貸玉額選択ボタンをカード処理機６２，パチンコ遊技機６０または幕板等における遊技者が操作可能な箇所に設け、遊技者が貸玉額を選択できるようにしてもよい。そして、カード処理機６２にカードが挿入されその挿入カードの記録情報によって特定される遊技者所有の有価価値の一例のカード残高が残っている場合に遊技者が貸玉額選択ボタンを押圧操作したことを条件として引落し条件が成立し、その選択された貸玉額分の遊技用有価価値の一例の打玉が打球供給皿５９上に確保され、その後その確保された打玉分の金額が挿入カードによって特定されたカード残額から減算されるようにしてもよい。貸玉額選択ボタンが押圧操作されたことの判定は、カード処理機制御用マイクロコンピュータ３００または払出制御用マイクロコンピュータ３５０により行なわれるのであり、この判定を行なう方のマイクロコンピュータにより、本発明の引落し条件判定手段が構成される。
　【０１０８】
　（３）打球供給皿５９内の打玉が所定量以下になったことを検出する所定量検出スイッチを設け、その所定量検出スイッチの検出結果に基づいて打球供給皿５９内に確保されている遊技用有価価値の一例の打玉が所定量以下になったと判断されれば、カード残高が残っていることを条件として自動的に打玉を再確保した後挿入されているカードの記録情報によって特定される遊技者所有の有価価値の一例のカード残高から再確保された打玉分の金額を減算処理するようにしてもよい。この場合においても、遊技用有価価値としては打玉に限らず前述の（１）で説明したように得点であってもよく、得点の場合には、得点が所定値以下になったことを条件に前述と同様に遊技用有価価値（得点）を再確保した後カード残高からの減額処理を行なう。
　【０１０９】
　前記所定量検出スイッチの検出結果に基づいて行なわれる打玉が所定量以下になったことの判定や、前記得点が所定値以下になったことの判定は、たとえば払出制御用マイクロコンピュータ３５０で行なうのであり、その判断を行なうマイクロコンピュータ３５０により、本発明の引落し条件判定手段が構成される。
　【０１１０】
　（４）単位額分確保する毎に減算する代わりに貸玉額分の打玉や得点等の遊技用有価価値がすべて確保された後に、挿入カードの記録情報によって特定される遊技者所有の有価価値の一例のカード残高からその確保された遊技用有価価値に相当する金額を減額するようにしてもよい。つまり、この別実施例では、貸玉額分の金額がそのまま本発明でいう引落し有価価値に相当する。
　【０１１１】
　（５）記録媒体の一例のカードに直接遊技者所有の有価価値の一例のカード残高を記録するという前述した直接記録方式に代えて、カードに記録されているカード番号と共にカード残高をホール用管理コンピュータに記憶し、挿入されたカードのカード番号を手がかりにその挿入カードに相当するカード残高を割出し、その割出されたカード残高を使用して玉貸等の遊技用有価価値の確保を行なうといういわゆるカードの背番号管理方式を採用してもよい。この場合には、カード番号が本発明でいう遊技者所有の有価価値を特定可能な情報に相当する。
　【０１１２】
　（６）前述した（５）に記載した直接記録方式や背番号管理方式を採用して、カード残高を使用した遊技用有価価値の一例の打玉の確保を行なうにおいて、遊技場に設けたカード式玉貸機にカードを挿入し、その挿入カードによって特定されるカード残高が残っていることを必要条件として打玉を払出して遊技者に貸出した後、その貸出した打玉に相当する金額を挿入カードの記録情報によって特定されるカード残高から減額するようにしてもよい。この場合には、カード式玉貸機に内蔵されている打玉の払出装置が本発明でいう確保手段となる。
　【０１１３】
　（７）パチンコ遊技機６０の前面に打球供給皿５９を設ける代わりに、パチンコ遊技機６０内部に所定量の打玉が確保されて待機される打玉待機樋を形成し、その打玉待機樋に待機している打玉を１つずつ打球発射位置に供給して遊技領域１２０内に弾発発射できるように構成してもよい。その場合には、挿入されたカードの記録情報によって特定される遊技者所有の有価価値の一例のカード残高が残っていることを必要条件として、所定の引落し条件が成立したことに基づいて所定個数の打玉が前記打球待機樋に確保されるように構成する。そしてその打球待機樋に確保された打玉に相当する金額が挿入カードによって特定されるカード残高から減額される。
　【０１１４】
　【発明の効果】
　請求項１に記載の本発明によれば、取付部材を設計変更して記録媒体対応用機器を集約的に配設してその取付部材を遊技機本体に取付けることにより、遊技機本体をそれほど設計変更することなく記録媒体対応用機器を遊技機に装備することが可能となり、従来方式の遊技機を極力有効利用しながら記録媒体対応型遊技機への改造が可能となる。また、遊技機から出力されてきた価値付与情報によりたとえば遊技場用管理装置が、正確な不利益情報を集計可能となるために、遊技場は正確な不利益情報を入手可能となり、遊技場にとって不利益となる不利益情報を正確に知ることができる。また、入賞玉に対応して払出すべき景品玉数を未払出数として加算するとともに、景品玉を払出す毎に当該払出した景品玉数を未払出数から減算し、前記未払出数がなくなれば景品玉の払出しを停止する方式を採用しており、入賞玉に対応する景品玉の払出しが終わるまで入賞玉を貯留するような方式と比較して、入賞玉に対応する景品玉の払出しが終わるまで入賞玉を貯留する貯留部が不要となる。
【図面の簡単な説明】
　【図１】
　本発明に係る玉払出装置が用いられるパチンコ遊技機およびカード処理機の全体正面図である。
　【図２】
　カード処理機およびパチンコ遊技機の一部内部構造を示す裏面図である。
　【図３】
　前面板の裏面側の構造を示す要部構成図である。
　【図４】
　打球供給皿の構造を説明するための縦断面図である。
　【図５】
　前面板に取付けられた各種部品を示す分解斜視図である。
　【図６】
　前面板に取付けられる各種部品を示す分解斜視図である。
　【図７】
　入賞玉の流下径路を示す要部縦断面図である。
　【図８】
　入賞玉処理装置の構造および動作を説明するための要部縦断面図である。
　【図９】
　玉払出器の構造を示す縦断面図である。
　【図１０】
　玉払出器における各部センサの配設位置を説明するための縦断面図である。
　【図１１】
　玉払出器の払出動作を説明するための動作説明図である。
　【図１２】
　玉払出器の払出動作を説明するための動作説明図である。
　【図１３】
　玉払出器の構造を説明するための分解斜視図である。
　【図１４】
　玉払出器の部品である後方ベースを示す斜視図である。
　【図１５】
　玉払出器が組付けられる組付カバー体を示す斜視図である。
　【図１６】
　玉払出器の部品である払出ソレノイドの構造を示す分解斜視図である。
　【図１７】
　玉抜き機構の要部を示す構成図であり、玉抜きされていない通常状態を示す図である。
　【図１８】
　玉抜き機構の要部を示す構成図であり、玉抜き動作開始時の状態を示す図である。
　【図１９】
　カード処理機の制御回路を示すブロック図である。
　【図２０】
　払出制御基板および投受光器制御基板の制御回路を示すブロック図である。
　【図２１】
　図１９に示した制御回路の動作を説明するためのフローチャートである。
　【図２２】
　図１９に示した制御回路の動作を説明するためのフローチャートである。
　【図２３】
　図２０に示した制御回路の動作を説明するためのフローチャートである。
　【図２４】
　図２０に示した制御回路の動作を説明するためのフローチャートである。
　【図２５】
　図２０に示した制御回路の動作を説明するためのフローチャートである。
　【図２６】
　図２０に示した制御回路の動作を説明するためのフローチャートである。
　【符号の説明】
　６０はパチンコ遊技機、５０は残金額表示器（カード残高表示器）、２は前面板、５９は打球供給皿、１２２は余剰玉貯留皿、１２１は打球操作ハンドル、６１Ａは枠ランプ、４４ｄは玉貸スイッチ（玉貸操作検出器）、４２ｄは返却スイッチ（返却操作検出器）、４６ｄは返却可ＬＥＤ（返却可表示器）、４８ｄは玉貸可ＬＥＤ（玉貸可表示器）である。